(57)【要約】本発明は、情報技術の分野に関連しており、アクセスポイント切り替え方法および装置を開示して、Ｍ２Ｍプラットフォームを使用することによってＡＥとともに実行される必要がある別の通信サービスの途絶を回避し、それによってユーザ経験を改善する。この方法は、ＡＥによって送信されたアクセスポイント切り替え要求メッセージをＭ２Ｍプラットフォームによって受信するステップであって、アクセスポイント切り替え要求メッセージは、Ｍ２ＭゲートウェイのＣＳＥ識別子およびＡＥのアクセス情報を搬送する、ステップと、Ｍ２Ｍプラットフォームによってリソース作成要求メッセージをＭ２Ｍゲートウェイへ送信するステップであって、リソース作成要求メッセージは、ＡＥの接続リソースを作成するようにＭ２Ｍゲートウェイに要求するために使用され、リソース作成要求メッセージは、ＡＥの識別子およびＡＥのアクセス情報を搬送する、ステップと、Ｍ２Ｍゲートウェイによって送信される、リソース作成が成功していることを示す応答メッセージをＭ２Ｍプラットフォームによって受信するステップであって、リソース作成が成功していることを示す応答メッセージは、Ｍ２Ｍゲートウェイの接続アドレスを搬送する、ステップと、Ｍ２Ｍプラットフォームによってアクセスポイント切り替え応答メッセージをＡＥへ送信するステップとを含む。本発明によれば、ＡＥのためのアクセスポイントがＭ２ＭプラットフォームからＭ２Ｍゲートウェイへ切り替えられた後に、ＡＥは、Ｍ２ＭプラットフォームおよびＭ２Ｍゲートウェイに対応する通信サービスを受信することが可能である。
2019521591.tif 000002
【特許請求の範囲】
【請求項１】
アクセスポイント切り替え方法であって、前記方法は、マシンツーマシンＭ２Ｍ通信システムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント切り替えを実行する前の前記ＡＥのためのアクセスポイントであり、前記Ｍ２Ｍゲートウェイは、前記ＡＥがアクセスポイント切り替えを実行した後の前記ＡＥのためのアクセスポイントであり、前記Ｍ２Ｍプラットフォームは、前記Ｍ２Ｍゲートウェイのためのアクセスポイントであり、前記方法は、
前記ＡＥによって送信されたアクセスポイント切り替え要求メッセージを前記Ｍ２Ｍプラットフォームによって受信するステップであって、前記アクセスポイント切り替え要求メッセージは、前記Ｍ２Ｍゲートウェイの共通サービスエンティティーＣＳＥ識別子を搬送する、ステップと、
前記Ｍ２Ｍプラットフォームによってリソース作成要求メッセージを前記Ｍ２Ｍゲートウェイへ送信するステップであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、ステップと、
前記Ｍ２Ｍゲートウェイによって送信される、リソース作成が成功していることを示す応答メッセージを前記Ｍ２Ｍプラットフォームによって受信するステップであって、リソース作成が成功していることを示す前記応答メッセージは、前記Ｍ２Ｍゲートウェイによって前記ＡＥに割り当てられたアクセス情報を搬送する、ステップと、
前記Ｍ２Ｍプラットフォームによってアクセスポイント切り替え応答メッセージを前記ＡＥへ送信するステップであって、前記アクセスポイント切り替え応答メッセージは、前記Ｍ２Ｍゲートウェイによって前記ＡＥに割り当てられた前記アクセス情報を搬送する、ステップと
を含む方法。
【請求項２】
前記ＡＥによって送信されたアクセスポイント切り替え要求メッセージを前記Ｍ２Ｍプラットフォームによって受信する前記ステップの後に、前記方法は、
前記Ｍ２Ｍプラットフォームによって、前記ＡＥのアクセスポイント情報内に含まれている情報を前記Ｍ２Ｍゲートウェイの前記ＣＳＥ識別子と置き換え、前記Ｍ２Ｍゲートウェイによって前記ＡＥに割り当てられた前記アクセス情報を前記ＡＥの前記アクセスポイント情報内に記録するステップ、または
前記Ｍ２Ｍプラットフォームによって、一つのアクセスポイント情報を前記ＡＥのアクセスポイント情報リスト内の特定のロケーションにおいて付加し、前記Ｍ２Ｍゲートウェイによって前記ＡＥに割り当てられた前記アクセス情報を、前記特定のロケーションにおいて付加された前記アクセスポイント情報内に記録するステップ
をさらに含む請求項１に記載のアクセスポイント切り替え方法。
【請求項３】
前記ＡＥによって送信されたアクセスポイント切り替え要求メッセージを前記Ｍ２Ｍプラットフォームによって受信する前記ステップの前に、
ローカルエリアネットワーク識別子に対応する前記Ｍ２Ｍゲートウェイのものである前記ＣＳＥ識別子をクエリーするための前記ＡＥによって送信された要求メッセージを前記Ｍ２Ｍプラットフォームによって受信するステップであって、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送する、ステップと、
前記Ｍ２Ｍプラットフォームによって前記ローカルエリアネットワーク識別子に基づいて、前記ローカルエリアネットワーク識別子に対応する前記Ｍ２Ｍゲートウェイのものである前記ＣＳＥ識別子を入手するステップと、
前記Ｍ２Ｍゲートウェイの前記ＣＳＥ識別子を搬送する成功メッセージを前記Ｍ２Ｍプラットフォームによって前記ＡＥへ送信するステップと、
前記Ｍ２Ｍプラットフォームによって、前記Ｍ２Ｍゲートウェイが属するネットワークの前記ローカルエリアネットワーク識別子を、前記Ｍ２Ｍゲートウェイの前記ＣＳＥ識別子を含むアクセスポイント情報内に記録するステップと
をさらに含む請求項１および請求項２のいずれかに記載のアクセスポイント切り替え方法。
【請求項４】
前記ＡＥによって送信されたアクセスポイント切り替え要求メッセージを前記Ｍ２Ｍプラットフォームによって受信する前記ステップの前に、
前記ＡＥに隣接したＭ２Ｍゲートウェイに関する前記ＡＥによって送信された入手要求を前記Ｍ２Ｍプラットフォームによって受信するステップであって、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送する、ステップと、
前記Ｍ２Ｍプラットフォームによって、前記ＡＥの前記ロケーション情報、および前記ＡＥによってサポートされる前記ローカルエリアネットワークタイプに対応する前記ローカルエリアネットワークによってカバーされる前記エリアに関する前記情報に基づいて、前記ＡＥに隣接した前記Ｍ２ＭゲートウェイのＣＳＥ識別子を前記ＡＥへ返信するステップと、
前記ＡＥによってサポートされる前記ローカルエリアネットワークタイプと同じであるタイプを有するローカルエリアネットワークに属するＭ２ＭゲートウェイのＣＳＥ識別子をクエリーするための前記ＡＥによって送信された要求を前記Ｍ２Ｍプラットフォームによって受信するステップであって、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送する、ステップと、
前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの前記ＣＳＥ識別子を前記Ｍ２Ｍプラットフォームによって返信するステップと、
前記Ｍ２Ｍプラットフォームによって、前記Ｍ２Ｍゲートウェイが属する前記ローカルエリアネットワークの前記タイプを、前記Ｍ２Ｍゲートウェイの前記ＣＳＥ識別子を含む前記アクセスポイント情報内に記録するステップと
をさらに含む請求項１および請求項２のいずれかに記載のアクセスポイント切り替え方法。
【請求項５】
前記Ｍ２Ｍプラットフォームによってアクセスポイント切り替え応答メッセージを前記ＡＥへ送信する前記ステップの後に、前記方法は、
前記ＡＥによって送信されたアクセスポイント更新要求メッセージを前記Ｍ２Ｍプラットフォームによって受信するステップであって、前記アクセスポイント更新要求メッセージは、前記ＡＥの前記識別子を搬送するステップをさらに含み、
前記アクセスポイント更新要求メッセージは、前記ＡＥのものであるＩＰアドレスおよびポート番号情報を搬送し、前記Ｍ２Ｍプラットフォームによって、前記アクセスポイント更新要求メッセージに基づいて、前記ＡＥの前記アクセスポイント情報を、前記ＩＰアドレスおよび前記ポート番号情報を含むアクセスポイント情報と置き換え、または
前記アクセスポイント更新要求メッセージは、前記アクセスポイント情報リスト内に記録されているＣＳＥ識別子、および特定のロケーションにおいて記録されている前記ＣＳＥ識別子を削除するように指示する情報を搬送し、前記Ｍ２Ｍプラットフォームによって、前記アクセスポイント更新要求メッセージ内の前記ＣＳＥ識別子に基づいて、前記アクセスポイント情報リスト内にあって、かつ前記アクセスポイント更新要求メッセージ内の前記ＣＳＥ識別子を含むアクセスポイント情報を削除する請求項２乃至４のいずれか一項に記載のアクセスポイント切り替え方法。
【請求項６】
前記ＡＥによって送信されたアクセスポイント更新要求メッセージを前記Ｍ２Ｍプラットフォームによって受信する前記ステップの後に、
前記Ｍ２Ｍプラットフォームによって、前記削除されたまたは置き換えられたアクセスポイント情報内にある前記Ｍ２Ｍゲートウェイの前記ＣＳＥ識別子に対応するＭ２Ｍゲートウェイへリソース削除要求メッセージを送信するステップであって、前記リソース削除要求メッセージは、前記ＡＥの前記接続リソースの識別子を搬送する、ステップと、
前記削除されたまたは置き換えられたアクセスポイント情報内にある前記Ｍ２Ｍゲートウェイの前記ＣＳＥ識別子に対応する前記Ｍ２Ｍゲートウェイによって送信された成功応答メッセージを前記Ｍ２Ｍプラットフォームによって受信するステップであって、前記成功応答メッセージは、前記ＡＥの前記接続リソースが削除されていることを表すために使用される、ステップと、
前記Ｍ２Ｍプラットフォームによって前記成功応答メッセージを前記ＡＥへ送信するステップと
をさらに含む請求項５に記載のアクセスポイント切り替え方法。
【請求項７】
別のデバイスによって前記ＡＥへ送信された通知メッセージを前記Ｍ２Ｍプラットフォームによって受信するステップであって、前記通知メッセージは、前記ＡＥの前記識別子を搬送する、ステップと、
前記ＡＥの登録リソース内に含まれている前記ＡＥの前記アクセスポイント情報が前記Ｍ２Ｍゲートウェイの前記ＣＳＥ識別子であることを前記Ｍ２Ｍプラットフォームによって前記ＡＥの前記識別子に基づいて決定するステップと、
前記Ｍ２Ｍプラットフォームによって前記通知メッセージを前記Ｍ２Ｍゲートウェイへ転送するステップと
をさらに含む請求項１乃至４のいずれか一項に記載のアクセスポイント切り替え方法。
【請求項８】
アクセスポイント切り替え方法であって、前記方法は、マシンツーマシン通信Ｍ２Ｍシステムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント変更を実行する前の前記ＡＥのためのアクセスポイントであり、前記Ｍ２Ｍゲートウェイは、前記ＡＥがアクセスポイント変更を実行した後の前記ＡＥのためのアクセスポイントであり、前記Ｍ２Ｍプラットフォームは、前記Ｍ２Ｍゲートウェイのためのアクセスポイントであり、前記方法は、
前記ＡＥによってアクセスポイント切り替え要求メッセージを前記Ｍ２Ｍプラットフォームへ送信するステップであって、前記アクセスポイント切り替え要求メッセージは、前記Ｍ２ＭゲートウェイのＣＳＥ識別子を搬送する、ステップと、
前記Ｍ２Ｍプラットフォームによって送信されたアクセスポイント切り替え応答メッセージを前記ＡＥによって受信するステップであって、前記アクセスポイント切り替え応答メッセージは、前記Ｍ２Ｍゲートウェイによって前記ＡＥに割り当てられたアクセス情報を搬送する、ステップと、
前記Ｍ２Ｍゲートウェイによって前記ＡＥに割り当てられた前記アクセス情報に基づいて前記ＡＥによってリソースアクセス要求を前記Ｍ２Ｍゲートウェイへ送信するステップと
を含む方法。
【請求項９】
前記ＡＥによってアクセスポイント切り替え要求メッセージを前記Ｍ２Ｍプラットフォームへ送信する前記ステップの前に、
前記ＡＥによって、前記Ｍ２Ｍゲートウェイが属するローカルエリアネットワークにアクセスし、前記ローカルエリアネットワークのローカルエリアネットワーク識別子を決定するステップと、
前記ローカルエリアネットワーク識別子に対応する前記Ｍ２Ｍゲートウェイのものである前記共通サービスエンティティーＣＳＥ識別子をクエリーするための要求メッセージを前記ＡＥによって前記Ｍ２Ｍプラットフォームへ送信するステップであって、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送する、ステップと、
前記Ｍ２Ｍプラットフォームによって送信され、かつ前記Ｍ２Ｍゲートウェイの前記ＣＳＥ識別子を搬送する成功メッセージを前記ＡＥによって受信するステップと
をさらに含む請求項８に記載のアクセスポイント切り替え方法。
【請求項１０】
前記ＡＥによってアクセスポイント切り替え要求メッセージを前記Ｍ２Ｍプラットフォームへ送信する前記ステップの前に、
前記ＡＥに隣接したＭ２Ｍゲートウェイに関する入手要求を前記ＡＥによって前記Ｍ２Ｍプラットフォームへ送信するステップであって、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送する、ステップと、
前記Ｍ２Ｍプラットフォームによって返信される前記ＡＥに隣接した前記Ｍ２Ｍゲートウェイの共通サービスエンティティーＣＳＥ識別子を前記ＡＥによって受信するステップと、
前記ＡＥによってサポートされる前記ローカルエリアネットワークタイプと同じであるタイプを有するローカルエリアネットワークに属するＭ２ＭゲートウェイのＣＳＥ識別子をクエリーするための要求を前記ＡＥによって前記Ｍ２Ｍプラットフォームへ送信するステップであって、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送する、ステップと、
前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの、前記Ｍ２Ｍプラットフォームによって返信された前記ＣＳＥ識別子を前記ＡＥによって受信するステップと
をさらに含む請求項８に記載のアクセスポイント切り替え方法。
【請求項１１】
アクセスポイント切り替え方法であって、前記方法は、マシンツーマシン通信Ｍ２Ｍシステムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント切り替えを実行する前の前記ＡＥのためのアクセスポイントであり、前記Ｍ２Ｍゲートウェイは、前記ＡＥがアクセスポイント切り替えを実行した後の前記ＡＥのためのアクセスポイントであり、前記Ｍ２Ｍプラットフォームは、前記Ｍ２Ｍゲートウェイのためのアクセスポイントであり、前記方法は、
前記Ｍ２Ｍプラットフォームによって送信されたリソース作成要求メッセージを前記Ｍ２Ｍゲートウェイによって受信するステップであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、ステップと、
前記Ｍ２Ｍゲートウェイによって前記リソース作成要求メッセージに基づいて前記ＡＥの前記接続リソースを作成するステップであって、前記ＡＥの前記接続リソースは、前記ＡＥのアクセス情報を含む、ステップと、
リソース作成が成功していることを示す応答メッセージを前記Ｍ２Ｍゲートウェイによって前記Ｍ２Ｍプラットフォームへ送信するステップであって、リソース作成が成功していることを示す前記応答メッセージは、前記Ｍ２Ｍゲートウェイによって前記ＡＥに割り当てられた前記アクセス情報を搬送する、ステップと、
前記Ｍ２Ｍゲートウェイによって前記ＡＥに割り当てられた前記アクセス情報に基づいて前記ＡＥによって送信されたリソースアクセス要求メッセージを前記Ｍ２Ｍゲートウェイによって受信するステップと、
前記Ｍ２Ｍゲートウェイによって前記リソースアクセス要求メッセージを処理するステップと
を含む方法。
【請求項１２】
前記ＡＥの前記アクセス情報は、前記Ｍ２Ｍゲートウェイが属するネットワークのローカルエリアネットワーク識別子をさらに含み、前記Ｍ２Ｍゲートウェイによって前記リソース作成要求メッセージに基づいて前記ＡＥの前記接続リソースを作成する前記ステップの後に、前記方法は、
前記Ｍ２Ｍゲートウェイによって、前記Ｍ２Ｍゲートウェイが属する前記ネットワークの前記ローカルエリアネットワーク識別子に基づいて前記ローカルエリアネットワーク内の前記ＡＥの接続アドレスを割り当てるステップをさらに含む請求項１１に記載のアクセスポイント切り替え方法。
【請求項１３】
前記ＡＥの前記アクセス情報は、前記Ｍ２Ｍゲートウェイが属するローカルエリアネットワークのネットワークタイプを含み、
前記Ｍ２Ｍゲートウェイによって前記リソース作成要求メッセージに基づいて前記ＡＥの前記接続リソースを作成する前記ステップの後に、前記方法は、
前記Ｍ２Ｍゲートウェイによって、前記ＡＥのロケーション情報を入手し、前記Ｍ２Ｍゲートウェイが属する前記ローカルエリアネットワークの前記ネットワークタイプ、および前記ＡＥの前記ロケーション情報に基づいて前記ローカルエリアネットワーク内の前記ＡＥの接続アドレスを割り当てるステップをさらに含む請求項１１に記載のアクセスポイント切り替え方法。
【請求項１４】
マシンツーマシン通信Ｍ２Ｍプラットフォームであって、前記Ｍ２Ｍプラットフォームは、ＡＥがアクセスポイント切り替えを実行する前の前記ＡＥのためのアクセスポイントであり、前記Ｍ２Ｍプラットフォームは、Ｍ２Ｍゲートウェイのためのアクセスポイントとして使用され、前記Ｍ２Ｍゲートウェイは、前記ＡＥがアクセスポイント切り替えを実行した後の前記ＡＥのためのアクセスポイントであり、前記Ｍ２Ｍプラットフォームは、
前記ＡＥによって送信されたアクセスポイント切り替え要求メッセージを受信するように構成されている受信ユニットであって、前記アクセスポイント切り替え要求メッセージは、前記Ｍ２Ｍゲートウェイの共通サービスエンティティーＣＳＥ識別子を搬送する、受信ユニットと、
リソース作成要求メッセージを前記Ｍ２Ｍゲートウェイへ送信するように構成されている送信ユニットであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、送信ユニットと
を含み、
前記受信ユニットは、前記Ｍ２Ｍゲートウェイによって送信される、リソース作成が成功していることを示す応答メッセージを受信するようにさらに構成されており、リソース作成が成功していることを示す前記応答メッセージは、前記Ｍ２Ｍゲートウェイによって前記ＡＥに割り当てられたアクセス情報を搬送し、
前記送信ユニットは、アクセスポイント切り替え応答メッセージを前記ＡＥへ送信するようにさらに構成されており、前記アクセスポイント切り替え応答メッセージは、前記Ｍ２Ｍゲートウェイによって前記ＡＥに割り当てられた前記アクセス情報を搬送する、マシンツーマシン通信Ｍ２Ｍプラットフォーム。
【請求項１５】
前記Ｍ２Ｍプラットフォームは、記録ユニットをさらに含み、
前記記録ユニットは、前記ＡＥのアクセスポイント情報内に含まれている情報を前記Ｍ２Ｍゲートウェイの前記ＣＳＥ識別子と置き換え、前記Ｍ２Ｍゲートウェイによって前記ＡＥに割り当てられた前記アクセス情報を前記ＡＥの前記アクセスポイント情報内に記録するように構成されており、または
前記記録ユニットは、一つのアクセスポイント情報を前記ＡＥのアクセスポイント情報リスト内の特定のロケーションにおいて付加し、前記Ｍ２Ｍゲートウェイによって前記ＡＥに割り当てられた前記アクセス情報を、前記特定のロケーションにおいて付加された前記アクセスポイント情報内に記録するように構成されている請求項１４に記載のＭ２Ｍプラットフォーム。
【請求項１６】
前記Ｍ２Ｍプラットフォームは、入手ユニットをさらに含み、
前記受信ユニットは、ローカルエリアネットワーク識別子に対応する前記Ｍ２Ｍゲートウェイのものである前記ＣＳＥ識別子をクエリーするための前記ＡＥによって送信された要求メッセージを受信するようにさらに構成されており、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送し、
前記入手ユニットは、前記ローカルエリアネットワーク識別子に基づいて、前記ローカルエリアネットワーク識別子に対応する前記Ｍ２Ｍゲートウェイのものである前記ＣＳＥ識別子を入手するように構成されており、
前記送信ユニットは、前記Ｍ２Ｍゲートウェイの前記ＣＳＥ識別子を搬送する成功メッセージを前記ＡＥへ送信するようにさらに構成されており、
前記記録ユニットは、前記Ｍ２Ｍゲートウェイが属するネットワークの前記ローカルエリアネットワーク識別子を、前記Ｍ２Ｍゲートウェイの前記ＣＳＥ識別子を含むアクセスポイント情報内に記録するようにさらに構成されている請求項１４および請求項１５のいずれかに記載のＭ２Ｍプラットフォーム。
【請求項１７】
前記受信ユニットは、前記ＡＥに隣接したＭ２Ｍゲートウェイに関する前記ＡＥによって送信された入手要求を受信するようにさらに構成されており、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送し、
前記送信ユニットは、前記ＡＥの前記ロケーション情報、および前記ＡＥによってサポートされる前記ローカルエリアネットワークタイプに対応する前記ローカルエリアネットワークによってカバーされる前記エリアに関する前記情報に基づいて、前記ＡＥに隣接した前記Ｍ２ＭゲートウェイのＣＳＥ識別子を前記ＡＥへ返信するようにさらに構成されており、
前記受信ユニットは、前記ＡＥによってサポートされる前記ローカルエリアネットワークタイプと同じであるタイプを有するローカルエリアネットワークに属するＭ２ＭゲートウェイのＣＳＥ識別子をクエリーするための前記ＡＥによって送信された要求を受信するようにさらに構成されており、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送し、
前記送信ユニットは、前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの前記ＣＳＥ識別子を返信するようにさらに構成されており、
前記記録ユニットは、前記Ｍ２Ｍゲートウェイが属する前記ローカルエリアネットワークの前記タイプを、前記Ｍ２Ｍゲートウェイの前記ＣＳＥ識別子を含む前記アクセスポイント情報内に記録するようにさらに構成されている請求項１４および請求項１５のいずれかに記載のＭ２Ｍプラットフォーム。
【請求項１８】
前記受信ユニットは、前記ＡＥによって送信されたアクセスポイント更新要求メッセージを受信するようにさらに構成されており、前記アクセスポイント更新要求メッセージは、前記ＡＥの登録リソースの識別子を搬送し、
前記アクセスポイント更新要求メッセージは、前記ＡＥのものであるＩＰアドレスおよびポート番号情報を搬送し、前記記録ユニットは、前記アクセスポイント更新要求メッセージに基づいて、前記Ｍ２Ｍゲートウェイの前記ＣＳＥ識別子を含む前記アクセスポイント情報を、前記ＩＰアドレスおよび前記ポート番号情報を含むアクセスポイント情報と置き換え、または
前記アクセスポイント更新要求メッセージは、前記アクセスポイント情報リスト内に記録されているＣＳＥ識別子、および特定のロケーションにおいて記録されている前記ＣＳＥ識別子を削除するように指示する情報を搬送し、前記記録ユニットは、前記アクセスポイント更新要求メッセージ内の前記ＣＳＥ識別子に基づいて、前記アクセスポイント情報リスト内にあって、かつ前記アクセスポイント更新要求メッセージ内の前記ＣＳＥ識別子を含むアクセスポイント情報を削除するようにさらに構成されている請求項１５乃至１７のいずれか一項に記載のＭ２Ｍプラットフォーム。
【請求項１９】
前記送信ユニットは、前記削除されたまたは置き換えられたアクセスポイント情報内にある前記Ｍ２Ｍゲートウェイの前記ＣＳＥ識別子に対応するＭ２Ｍゲートウェイへリソース削除要求メッセージを送信するようにさらに構成されており、前記リソース削除要求メッセージは、前記ＡＥの前記接続リソースの識別子を搬送し、
前記受信ユニットは、前記削除されたまたは置き換えられたアクセスポイント情報内にある前記Ｍ２Ｍゲートウェイの前記ＣＳＥ識別子に対応する前記Ｍ２Ｍゲートウェイによって送信された成功応答メッセージを受信するようにさらに構成されており、前記成功応答メッセージは、前記ＡＥの前記接続リソースが削除されていることを表すために使用され、
前記送信ユニットは、前記成功応答メッセージを前記ＡＥへ送信するようにさらに構成されている請求項１８に記載のＭ２Ｍプラットフォーム。
【請求項２０】
前記Ｍ２Ｍプラットフォームは、決定ユニットをさらに含み、
前記受信ユニットは、別のデバイスによって前記ＡＥへ送信された通知メッセージを受信するようにさらに構成されており、前記通知メッセージは、前記ＡＥの前記識別子を搬送し、
前記決定ユニットは、前記ＡＥの前記登録リソース内に含まれている前記ＡＥの前記アクセスポイント情報が前記Ｍ２Ｍゲートウェイの前記ＣＳＥ識別子であることを前記ＡＥの前記識別子に基づいて決定するように構成されており、
前記送信ユニットは、前記通知メッセージを前記Ｍ２Ｍゲートウェイへ転送するようにさらに構成されている請求項１４乃至１７のいずれか一項に記載のＭ２Ｍプラットフォーム。
【請求項２１】
マシンツーマシン通信Ｍ２Ｍデバイスであって、前記Ｍ２Ｍデバイスは、アプリケーションエンティティーＡＥを含み、前記ＡＥがアクセスポイント変更を実行する前の前記ＡＥのためのアクセスポイントは、Ｍ２Ｍプラットフォームであり、前記ＡＥがアクセスポイント変更を実行した後の前記ＡＥのためのアクセスポイントは、Ｍ２Ｍゲートウェイであり、前記Ｍ２Ｍプラットフォームは、前記Ｍ２Ｍゲートウェイのためのアクセスポイントとしてさらに使用され、前記Ｍ２Ｍデバイスは、
アクセスポイント切り替え要求メッセージを前記Ｍ２Ｍプラットフォームへ送信するように構成されている送信ユニットであって、前記アクセスポイント切り替え要求メッセージは、前記Ｍ２ＭゲートウェイのＣＳＥ識別子を搬送する、送信ユニットと、
前記Ｍ２Ｍプラットフォームによって送信されたアクセスポイント切り替え応答メッセージを受信するように構成されている受信ユニットであって、前記アクセスポイント切り替え応答メッセージは、前記Ｍ２Ｍゲートウェイによって前記ＡＥに割り当てられたアクセス情報を搬送する、受信ユニットと
を含み、
前記送信ユニットは、前記Ｍ２Ｍゲートウェイによって前記ＡＥに割り当てられた前記アクセス情報に基づいてリソースアクセス要求を前記Ｍ２Ｍゲートウェイへ送信するようにさらに構成されている、マシンツーマシン通信Ｍ２Ｍデバイス。
【請求項２２】
前記Ｍ２Ｍデバイスは、アクセスユニットおよび決定ユニットをさらに含み、
前記アクセスユニットは、前記Ｍ２Ｍゲートウェイが属するローカルエリアネットワークにアクセスするように構成されており、
前記決定ユニットは、前記ローカルエリアネットワークのローカルエリアネットワーク識別子を決定するように構成されており、
前記送信ユニットは、前記ローカルエリアネットワーク識別子に対応する前記Ｍ２Ｍゲートウェイのものである前記共通サービスエンティティーＣＳＥ識別子をクエリーするための要求メッセージを前記Ｍ２Ｍプラットフォームへ送信するようにさらに構成されており、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送し、
前記受信ユニットは、前記Ｍ２Ｍプラットフォームによって送信され、かつ前記Ｍ２Ｍゲートウェイの前記ＣＳＥ識別子を搬送する成功メッセージを受信するようにさらに構成されている請求項２１に記載のＭ２Ｍデバイス。
【請求項２３】
前記送信ユニットは、前記ＡＥに隣接したＭ２Ｍゲートウェイに関する入手要求を前記Ｍ２Ｍプラットフォームへ送信するようにさらに構成されており、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送し、
前記受信ユニットは、前記Ｍ２Ｍプラットフォームによって返信される前記ＡＥに隣接した前記Ｍ２Ｍゲートウェイの共通サービスエンティティーＣＳＥ識別子を受信するようにさらに構成されており、
前記送信ユニットは、前記ＡＥによってサポートされる前記ローカルエリアネットワークタイプと同じであるタイプを有するローカルエリアネットワークに属するＭ２ＭゲートウェイのＣＳＥ識別子をクエリーするための要求を前記Ｍ２Ｍプラットフォームへ送信するようにさらに構成されており、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送し、
前記受信ユニットは、前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの、前記Ｍ２Ｍプラットフォームによって返信された前記ＣＳＥ識別子を受信するようにさらに構成されている請求項２１に記載のＭ２Ｍデバイス。
【請求項２４】
マシンツーマシン通信Ｍ２Ｍゲートウェイであって、前記Ｍ２Ｍゲートウェイは、アプリケーションエンティティーＡＥがアクセスポイント切り替えを実行した後の前記ＡＥのためのアクセスポイントであり、前記Ｍ２Ｍゲートウェイのためのアクセスポイントは、Ｍ２Ｍプラットフォームであり、前記Ｍ２Ｍプラットフォームは、前記ＡＥがアクセスポイント切り替えを実行する前の前記ＡＥのためのアクセスポイントであり、前記Ｍ２Ｍゲートウェイは、
前記Ｍ２Ｍプラットフォームによって送信されたリソース作成要求メッセージを受信するように構成されている受信ユニットであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、受信ユニットと、
前記リソース作成要求メッセージに基づいて前記ＡＥの前記接続リソースを作成するように構成されている作成ユニットであって、前記ＡＥの前記接続リソースは、前記ＡＥのアクセス情報を含む、作成ユニットと、
リソース作成が成功していることを示す応答メッセージを前記Ｍ２Ｍプラットフォームへ送信するように構成されている送信ユニットであって、リソース作成が成功していることを示す前記応答メッセージは、前記Ｍ２Ｍゲートウェイによって前記ＡＥに割り当てられた前記アクセス情報を搬送する、送信ユニットと
を含み、
前記受信ユニットは、前記Ｍ２Ｍゲートウェイによって前記ＡＥに割り当てられた前記アクセス情報に基づいて前記ＡＥによって送信されたリソースアクセス要求メッセージを受信するようにさらに構成されており、前記Ｍ２Ｍゲートウェイは、
前記Ｍ２Ｍゲートウェイ内に配置されていて、かつ前記リソースアクセス要求メッセージを処理するように構成されている処理ユニットを含むマシンツーマシン通信Ｍ２Ｍゲートウェイ。
【請求項２５】
前記Ｍ２Ｍゲートウェイは、割り当てユニットをさらに含み、
前記割り当てユニットは、前記Ｍ２Ｍゲートウェイが属するネットワークのローカルエリアネットワーク識別子に基づいて前記ネットワーク内の前記ＡＥの接続アドレスを割り当てるように構成されている請求項２４に記載のＭ２Ｍゲートウェイ。
【請求項２６】
前記ＡＥの前記アクセス情報は、前記Ｍ２Ｍゲートウェイが属するローカルエリアネットワークのネットワークタイプを含み、
前記Ｍ２Ｍゲートウェイは、入手ユニットをさらに含み、
前記入手ユニットは、前記ＡＥのロケーション情報を入手するように構成されており、
前記割り当てユニットは、前記Ｍ２Ｍゲートウェイが属する前記ネットワークの前記ローカルエリアネットワークの前記ネットワークタイプ、および前記ＡＥの前記ロケーション情報に基づいて前記ローカルエリアネットワーク内の前記ＡＥの接続アドレスを割り当てるようにさらに構成されている請求項２４に記載のＭ２Ｍゲートウェイ。
【請求項２７】
マシンツーマシン通信Ｍ２Ｍプラットフォームであって、前記Ｍ２Ｍプラットフォームは、ＡＥがアクセスポイント切り替えを実行する前の前記ＡＥのためのアクセスポイントであり、前記Ｍ２Ｍプラットフォームは、前記Ｍ２Ｍゲートウェイのためのアクセスポイントとして使用され、前記Ｍ２Ｍゲートウェイは、前記ＡＥがアクセスポイント切り替えを実行した後の前記ＡＥのためのアクセスポイントであり、前記Ｍ２Ｍプラットフォームは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記ＡＥによって送信されたアクセスポイント切り替え要求メッセージを前記Ｍ２Ｍプラットフォームによって受信するオペレーションであって、前記アクセスポイント切り替え要求メッセージは、前記Ｍ２Ｍゲートウェイの共通サービスエンティティーＣＳＥ識別子を搬送する、オペレーションと、
前記Ｍ２Ｍプラットフォームによってリソース作成要求メッセージを前記Ｍ２Ｍゲートウェイへ送信するオペレーションであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、オペレーションと、
前記Ｍ２Ｍゲートウェイによって送信される、リソース作成が成功していることを示す応答メッセージを前記Ｍ２Ｍプラットフォームによって受信するオペレーションであって、リソース作成が成功していることを示す前記応答メッセージは、前記Ｍ２Ｍゲートウェイによって前記ＡＥに割り当てられたアクセス情報を搬送する、オペレーションと、
前記Ｍ２Ｍプラットフォームによってアクセスポイント切り替え応答メッセージを前記ＡＥへ送信するオペレーションであって、前記アクセスポイント切り替え応答メッセージは、前記Ｍ２Ｍゲートウェイによって前記ＡＥに割り当てられた前記アクセス情報を搬送する、オペレーションと
を前記Ｍ２Ｍプラットフォームが実行することを可能にする、マシンツーマシン通信Ｍ２Ｍプラットフォーム。
【請求項２８】
マシンツーマシン通信Ｍ２Ｍデバイスであって、前記Ｍ２Ｍデバイスは、アプリケーションエンティティーＡＥを含み、前記ＡＥがアクセスポイント変更を実行する前の前記ＡＥのためのアクセスポイントは、Ｍ２Ｍプラットフォームであり、前記ＡＥがアクセスポイント変更を実行した後の前記ＡＥのためのアクセスポイントは、Ｍ２Ｍゲートウェイであり、前記Ｍ２Ｍプラットフォームは、前記Ｍ２Ｍゲートウェイのためのアクセスポイントとしてさらに使用され、前記Ｍ２Ｍデバイスは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記ＡＥによってアクセスポイント切り替え要求メッセージを前記Ｍ２Ｍプラットフォームへ送信するオペレーションであって、前記アクセスポイント切り替え要求メッセージは、前記Ｍ２ＭゲートウェイのＣＳＥ識別子を搬送する、オペレーションと、
前記Ｍ２Ｍプラットフォームによって送信されたアクセスポイント切り替え応答メッセージを前記ＡＥによって受信するオペレーションであって、前記アクセスポイント切り替え応答メッセージは、前記Ｍ２Ｍゲートウェイによって前記ＡＥに割り当てられたアクセス情報を搬送する、オペレーションと、
前記Ｍ２Ｍゲートウェイによって前記ＡＥに割り当てられた前記アクセス情報に基づいて前記ＡＥによってリソースアクセス要求を前記Ｍ２Ｍゲートウェイへ送信するオペレーションと
を前記Ｍ２Ｍデバイスが実行することを可能にする、マシンツーマシン通信Ｍ２Ｍデバイス。
【請求項２９】
マシンツーマシン通信Ｍ２Ｍゲートウェイであって、前記Ｍ２Ｍゲートウェイは、アプリケーションエンティティーＡＥがアクセスポイント切り替えを実行した後の前記ＡＥのためのアクセスポイントであり、前記Ｍ２Ｍゲートウェイのためのアクセスポイントは、Ｍ２Ｍプラットフォームであり、前記Ｍ２Ｍプラットフォームは、前記ＡＥがアクセスポイント切り替えを実行する前の前記ＡＥのためのアクセスポイントであり、前記Ｍ２Ｍゲートウェイは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記Ｍ２Ｍプラットフォームによって送信されたリソース作成要求メッセージを前記Ｍ２Ｍゲートウェイによって受信するオペレーションであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、オペレーションと、
前記Ｍ２Ｍゲートウェイによって前記リソース作成要求メッセージに基づいて前記ＡＥの前記接続リソースを作成するオペレーションであって、前記ＡＥの前記接続リソースは、前記ＡＥのアクセス情報を含む、オペレーションと、
リソース作成が成功していることを示す応答メッセージを前記Ｍ２Ｍゲートウェイによって前記Ｍ２Ｍプラットフォームへ送信するオペレーションであって、リソース作成が成功していることを示す前記応答メッセージは、前記Ｍ２Ｍゲートウェイによって前記ＡＥに割り当てられた前記アクセス情報を搬送する、オペレーションと、
前記Ｍ２Ｍゲートウェイによって前記ＡＥに割り当てられた前記アクセス情報に基づいて前記ＡＥによって送信されたリソースアクセス要求メッセージを前記Ｍ２Ｍゲートウェイによって受信するオペレーションと、
前記Ｍ２Ｍゲートウェイによって前記リソースアクセス要求メッセージを処理するオペレーションと
を装置が実行することを可能にする、マシンツーマシン通信Ｍ２Ｍゲートウェイ。
【発明の詳細な説明】
【技術分野】
【０００１】
本発明は、情報技術の分野に関連しており、詳細には、アクセスポイント切り替え方法および装置に関連している。
【背景技術】
【０００２】
本出願は、２０１６年６月８日に中国特許庁に出願された「ＡＣＣＥＳＳ  ＰＯＩＮＴ  ＳＷＩＴＣＨＩＮＧ  ＭＥＴＨＯＤ  ＡＮＤ  ＡＰＰＡＲＡＴＵＳ」と題されている中国特許出願第２０１６１０４０２６７１．Ｘ号明細書に対する優先権を主張するものであり、この中国特許出願第２０１６１０４０２６７１．Ｘ号明細書は、その全体が参照によって本明細書に組み込まれている。
【０００３】
マシンツーマシン通信（Ｍ２Ｍ通信）は、インテリジェントなマシン対話が中核として使用されるネットワーク化されたアプリケーションおよびサービスである。Ｍ２Ｍ技術においては、データが１つの端末から別の端末へ送信され得、それによって、マシンツーマシン通信が実施される。Ｍ２Ｍシステムは、Ｍ２Ｍプラットフォーム１０２、Ｍ２Ｍゲートウェイ１０３、Ｍ２Ｍデバイス１０４、およびＡＥ（Ａｐｐｌｉｃａｔｉｏｎ  Ｅｎｔｉｔｙ、アプリケーションエンティティー）１０１を含む。図１Ａにおいて示されているように、Ｍ２Ｍプラットフォーム１０２は、ＩＮ（Ｉｎｆｒａｓｔｒｕｃｔｕｒｅ  Ｎｏｄｅ、インフラストラクチャーノード）であり得、Ｍ２Ｍゲートウェイ１０３は、ＭＮ（ミドルノード）であり、Ｍ２Ｍデバイスは、ＡＳＮ（アプリケーションサービスノード）またはＡＤＮ（アプリケーション専用ノード）（図１Ａにおいては示されていない）であり得る。加えて、ＣＳＥ（共通サービスエンティティー）が、Ｍ２Ｍシステムの共通能力コンポーネントとして使用され、共通能力を有することが可能である。ＣＳＥは、Ｍ２Ｍプラットフォーム、Ｍ２Ｍゲートウェイ、または、Ｍ２Ｍデバイスとして使用されるＡＳＮ内に含まれて、対応する機能を実施し得る。ＡＥは、独立して存在し得、またはＭ２Ｍプラットフォーム、Ｍ２Ｍゲートウェイ、もしくは、Ｍ２Ｍデバイスとして使用されるＡＳＮもしくはＡＤＮ内に含まれ得る。ＣＳＥは、Ｍｃａ参照点を使用することによって、ＣＳＥによって開かれている共通能力にＡＥがアクセスすることを可能にし、Ｍｃｃ参照点を使用することによって、ＣＳＥどうしの間における通信を実施し、Ｍｃｎ参照点を使用することによって、基礎をなすネットワーク能力を呼び出す。Ｍ２Ｍプラットフォーム、Ｍ２Ｍゲートウェイ、およびＭ２Ｍデバイスのすべては、さまざまなリソースを格納し得る。アプリケーションエンティティーＡＥは、Ｍ２ＭプラットフォームのＣＳＥ、Ｍ２ＭゲートウェイのＣＳＥ、またはＭ２ＭデバイスのＣＳＥを使用することによって、Ｍ２Ｍプラットフォーム、Ｍ２Ｍゲートウェイ、およびＭ２Ｍデバイス内に格納されているさまざまなリソースにアクセスする。
【０００４】
ＡＥが、Ｍ２ＭプラットフォームまたはＭ２Ｍゲートウェイ上のリソースにアクセスしたいと望む場合には、ＡＥは、Ｍ２ＭプラットフォームのＣＳＥまたはＭ２ＭゲートウェイのＣＳＥに登録する必要がある。しかしながら、既存のＡＥは、同じタイムピリオドにおいてエンティティーの１つのＣＳＥのみに登録することが可能であり、たとえば、Ｍ２ＭプラットフォームのＣＳＥのみに、またはＭ２ＭゲートウェイのＣＳＥのみに登録することが可能である。次いで、ＡＥは、レジストラＣＳＥ（Ｒｅｇｉｓｔｒａｒ  ＣＳＥ、略してＲ−ＣＳＥ）を使用することによって、ＣＳＥ上に格納されているリソースにアクセスする。アクセスされるリソースが配置されているＣＳＥは、Ｈ−ＣＳＥ（Ｈｏｓｔｉｎｇ  ＣＳＥ、ホスティングＣＳＥ）である。通常、Ｒ−ＣＳＥは、ＡＥと、Ｍ２Ｍシステム内の別のエンティティーとの間における通信のためのアクセスポイントとして使用される。
【０００５】
たとえば、Ｍ２Ｍプラットフォーム上のＣＳＥは、ＡＥのためのＲ−ＣＳＥとして使用される。ＡＥが、Ｍ２Ｍゲートウェイ上に格納されているリソースにアクセスする必要がある場合には、Ｍ２Ｍゲートウェイ上のＣＳＥは、Ｈ−ＣＳＥとして使用される。したがって、ＡＥは、Ｈ−ＣＳＥが配置されているＭ２Ｍゲートウェイ上に格納されているリソースにアクセスするためにＲ−ＣＳＥを使用する必要がある。しかしながら、ＡＥは、Ｍ２Ｍゲートウェイ上のリソースにアクセスするためにＭ２ＭプラットフォームのＣＳＥを使用する必要があるので、リソース要求チェーンが過度に長くなり、比較的大きなネットワークリソースオーバーヘッドをもたらす。したがって、別の方法は、ＡＥがＭ２ＭプラットフォームのＣＳＥから登録解除して、次いでＭ２ＭゲートウェイのＣＳＥに登録することである。言い換えれば、Ｍ２Ｍゲートウェイ上に格納されているリソースに直接アクセスするために、ＡＥは、ＡＥのためのアクセスポイントをＭ２ＭプラットフォームからＭ２Ｍゲートウェイへ切り替える必要がある。
【０００６】
従来技術において提供されているアクセスポイント切り替え方法においては、Ｍ２Ｍゲートウェイが配置されているローカルエリアネットワーク内にデバイスがある場合には、Ｍ２Ｍデバイス上のＡＥが、そのＡＥのためのＲ−ＣＳＥ（Ｍ２ＭプラットフォームのＣＳＥなど）へ登録解除要求メッセージを送信する。登録解除要求メッセージは、Ｍ２Ｍプラットフォーム上でＡＥによって作成されたリソースを削除するようにＲ−ＣＳＥに要求するためにＡＥによって使用される。登録解除要求メッセージを受信した後に、Ｍ２Ｍプラットフォームは、Ｍ２Ｍプラットフォーム上でＡＥによって作成されたリソースを削除し、成功応答メッセージをＡＥへ返信する。次いで、ＡＥは、登録要求メッセージをＭ２Ｍゲートウェイへ送信し、登録要求メッセージは、ＡＥに対応するリソースをＭ２Ｍゲートウェイ上で作成して、Ｍ２Ｍゲートウェイ上でのＡＥの登録を完了するように要求するために使用される。
【０００７】
しかしながら、ＡＥがＭ２Ｍプラットフォームから登録解除して、次いでＭ２Ｍゲートウェイに登録するプロセスにおいては、Ｍ２Ｍプラットフォーム上でＡＥによって格納された登録リソースをＭ２Ｍプラットフォームが削除し、その登録リソースはＡＥのアドレス情報を含むので、Ｍ２Ｍプラットフォームは、ＡＥと通信することが不可能であり、Ｍ２Ｍプラットフォームを使用することによってＡＥと通信する別の通信タスクの途絶をもたらす。したがって、ユーザ経験は比較的貧弱である。
【発明の概要】
【発明が解決しようとする課題】
【０００８】
本発明は、アクセスポイント切り替え方法および装置ならびに関連したデバイスを提供して、Ｍ２Ｍプラットフォームを使用することによってＡＥとともに実行される必要がある別の通信サービスの途絶を回避し、それによってユーザ経験を改善する。
【課題を解決するための手段】
【０００９】
特定の実施態様においては、Ｍ２Ｍシステムが、Ｍ２Ｍプラットフォーム、ＡＥ、およびＭ２Ｍプラットフォームを含む。Ｍ２Ｍプラットフォームは、ＡＥがアクセスポイント切り替えを実行する前のＡＥのためのアクセスポイントである。Ｍ２Ｍゲートウェイは、ＡＥがアクセスポイント切り替えを実行した後のＡＥのためのアクセスポイントである。Ｍ２Ｍプラットフォームは、Ｍ２Ｍゲートウェイのためのアクセスポイントである。ＡＥは、アクセスポイント切り替え要求をＭ２Ｍプラットフォームへ送信し、それによってＭ２Ｍプラットフォームは、ＡＥの接続リソースを作成するようにＭ２Ｍゲートウェイに要求する。Ｍ２ＭゲートウェイがＡＥの接続リソースを成功裏に作成した場合には、Ｍ２Ｍプラットフォームは、Ｍ２Ｍゲートウェイの接続アドレスをＡＥの登録リソース内に記録し、アクセスポイント切り替え応答メッセージをＡＥへ送信して、アクセスポイント切り替えを実施する。本発明においては、アクセスポイント切り替えがＭ２Ｍシステムに適用されて、Ｍ２Ｍプラットフォームを使用することによってＡＥとともに実行される必要がある別の通信サービスの途絶を回避し、それによってユーザ経験を改善する。
【００１０】
第１の態様によれば、本発明は、アクセスポイント切り替え方法を提供し、この方法は、マシンツーマシン通信Ｍ２Ｍシステムに適用される。Ｍ２Ｍシステムは、Ｍ２Ｍプラットフォーム、アプリケーションエンティティーＡＥ、およびＭ２Ｍゲートウェイを含む。Ｍ２Ｍプラットフォームは、ＡＥがアクセスポイント切り替えを実行する前のＡＥのためのアクセスポイントである。Ｍ２Ｍゲートウェイは、ＡＥがアクセスポイント切り替えを実行した後のＡＥのためのアクセスポイントである。Ｍ２Ｍプラットフォームは、Ｍ２Ｍゲートウェイのためのアクセスポイントである。特に、Ｍ２Ｍプラットフォームは、ＡＥによって送信されたアクセスポイント切り替え要求メッセージを受信することであって、アクセスポイント切り替え要求メッセージは、Ｍ２Ｍゲートウェイの共通サービスエンティティーＣＳＥ識別子を搬送する、受信することと、次いでリソース作成要求メッセージをＭ２Ｍゲートウェイへ送信することであって、リソース作成要求メッセージは、ＡＥの接続リソースを作成するようにＭ２Ｍゲートウェイに要求するために使用され、リソース作成要求メッセージは、ＡＥの識別子を搬送する、送信することとを行う。その後に、Ｍ２Ｍプラットフォームは、Ｍ２Ｍゲートウェイによって送信される、リソース作成が成功していることを示す応答メッセージを受信することであって、リソース作成が成功していることを示す応答メッセージは、Ｍ２ＭゲートウェイによってＡＥに割り当てられたアクセス情報を搬送する、受信することと、次いでアクセスポイント切り替え応答メッセージをＡＥへ送信することであって、アクセスポイント切り替え応答メッセージは、Ｍ２ＭゲートウェイによってＡＥに割り当てられたアクセス情報を搬送する、送信することとを行う。本発明の実施形態においては、Ｍ２Ｍプラットフォームは、ＡＥの接続リソースを作成するようにＭ２Ｍゲートウェイに要求し、それによって、Ｍ２Ｍゲートウェイに属していないサービス要求を受信した場合に、Ｍ２Ｍゲートウェイは、ＡＥの作成された接続リソースに基づいてそのサービス要求をＭ２Ｍプラットフォームへ送信して、Ｍ２Ｍプラットフォームを使用することによってＡＥとともに実行される必要がある別の通信サービスの途絶を回避し、それによってユーザ経験を改善する。
【００１１】
可能な設計においては、ＡＥによって送信されたアクセスポイント切り替え要求メッセージをＭ２Ｍプラットフォームが受信した後に、Ｍ２Ｍプラットフォームは、ＡＥのアクセスポイント情報内に含まれている情報をＭ２ＭゲートウェイのＣＳＥ識別子と置き換え、Ｍ２ＭゲートウェイによってＡＥに割り当てられたアクセス情報をＡＥのアクセスポイント情報内に記録し、またはＭ２Ｍプラットフォームは、一つのアクセスポイント情報をＡＥのアクセスポイント情報リスト内の特定のロケーションにおいて付加し、Ｍ２ＭゲートウェイによってＡＥに割り当てられたアクセス情報を、特定のロケーションにおいて付加されたアクセスポイント情報内に記録する。したがって、Ｍ２Ｍプラットフォームは、ＡＥによってアクセスされたＭ２Ｍゲートウェイを決定することが可能であり、次いで、ＡＥによってアクセスされたＭ２Ｍゲートウェイを使用することによって、サブスクライブされたサービスまたはサブスクライブされたリソースを送信し得る。
【００１２】
別の可能な設計においては、Ｍ２Ｍプラットフォームは、ローカルエリアネットワーク識別子に対応するＭ２ＭゲートウェイのものであるＣＳＥ識別子をクエリーするためのＡＥによって送信された要求メッセージをさらに受信し得、ローカルエリアネットワーク識別子に対応するＭ２ＭゲートウェイのものであるＣＳＥ識別子をクエリーするための要求メッセージは、ローカルエリアネットワーク識別子を搬送する。次いで、Ｍ２Ｍプラットフォームは、ローカルエリアネットワーク識別子に基づいて、ローカルエリアネットワーク識別子に対応するＭ２ＭゲートウェイのものであるＣＳＥ識別子を入手する。その後に、Ｍ２Ｍプラットフォームは、Ｍ２ＭゲートウェイのＣＳＥ識別子を搬送する成功メッセージをＡＥへ送信する。最後に、Ｍ２Ｍプラットフォームは、Ｍ２Ｍゲートウェイが属するネットワークのローカルエリアネットワーク識別子を、Ｍ２ＭゲートウェイのＣＳＥ識別子を含むアクセスポイント情報内に記録する。したがって、ＡＥは、ローカルエリアネットワークのローカルエリアネットワーク識別子に基づいて、ＡＥがアクセスする必要があるＭ２Ｍゲートウェイを決定することが可能である。
【００１３】
可能な設計においては、ＡＥによって送信されたアクセスポイント切り替え要求メッセージをＭ２Ｍプラットフォームが受信する前に、Ｍ２Ｍプラットフォームは、ＡＥに隣接したＭ２Ｍゲートウェイに関するＡＥによって送信された入手要求を受信し、ＡＥに隣接したＭ２Ｍゲートウェイに関する入手要求は、ＡＥのロケーション情報、およびＡＥによってサポートされるローカルエリアネットワークタイプに対応するローカルエリアネットワークによってカバーされるエリアに関する情報を搬送する。次いで、Ｍ２Ｍプラットフォームは、ＡＥのロケーション情報、およびＡＥによってサポートされるローカルエリアネットワークタイプに対応するローカルエリアネットワークによってカバーされるエリアに関する情報に基づいて、ＡＥに隣接したＭ２ＭゲートウェイのＣＳＥ識別子をＡＥへ返信する。その後に、Ｍ２Ｍプラットフォームは、ＡＥによってサポートされるローカルエリアネットワークタイプと同じであるタイプを有するローカルエリアネットワークに属するＭ２ＭゲートウェイのＣＳＥ識別子をクエリーするためのＡＥによって送信された要求を受信し、ＡＥによってサポートされるローカルエリアネットワークタイプと同じであるタイプを有するローカルエリアネットワークに属するＭ２ＭゲートウェイのＣＳＥ識別子をクエリーするための要求は、ＡＥに隣接したＭ２ＭゲートウェイのＣＳＥ識別子、およびＡＥによってサポートされるローカルエリアネットワークタイプを搬送する。その後に、Ｍ２Ｍプラットフォームは、ＡＥに隣接していて、かつＡＥによってサポートされるローカルエリアネットワークタイプと同じであるタイプを有するローカルエリアネットワークに属するＭ２ＭゲートウェイのＣＳＥ識別子を返信する。最後に、Ｍ２Ｍプラットフォームは、Ｍ２Ｍゲートウェイが属するローカルエリアネットワークのタイプを、Ｍ２ＭゲートウェイのＣＳＥ識別子を含むアクセスポイント情報内に記録する。したがって、ＡＥは、ＡＥのロケーション情報、およびＡＥによってサポートされるローカルエリアネットワークタイプに対応するローカルエリアネットワークによってカバーされるエリアに関する情報に基づいて、ＡＥがアクセスする必要があるＭ２ＭゲートウェイのＣＳＥ識別子を入手することが可能であり、それによってＡＥは、Ｍ２Ｍゲートウェイにアクセスすることが可能である。
【００１４】
可能な設計においては、Ｍ２Ｍプラットフォームがアクセスポイント切り替え応答メッセージをＡＥへ送信した後に、Ｍ２Ｍプラットフォームは、ＡＥによって送信されたアクセスポイント更新要求メッセージを受信し、アクセスポイント更新要求メッセージは、ＡＥの識別子を搬送する。アクセスポイント更新要求メッセージは、ＡＥのものであるＩＰアドレスおよびポート番号情報を搬送し、次いでＭ２Ｍプラットフォームは、アクセスポイント更新要求メッセージに基づいて、Ｍ２ＭゲートウェイのＣＳＥ識別子を含むアクセスポイント情報を、ＩＰアドレスおよびポート番号情報を含むアクセスポイント情報と置き換える。あるいは、アクセスポイント更新要求メッセージは、アクセスポイント情報リスト内に記録されているＣＳＥ識別子、および特定のロケーションにおいて記録されているＣＳＥ識別子を削除するように指示する情報を搬送し、Ｍ２Ｍプラットフォームは、アクセスポイント更新要求メッセージ内のＣＳＥ識別子に基づいて、アクセスポイント情報リスト内にあって、かつアクセスポイント更新要求メッセージ内のＣＳＥ識別子を含むアクセスポイント情報を削除する。したがって、ＡＥが、以前にアクセスされたＭ２Ｍゲートウェイのカバレッジエリアを去った後に、Ｍ２Ｍプラットフォームは、ＡＥに対応する別のアクセスポイントにＡＥがアクセスすることを可能にすることができ、それによってＡＥは、別のアクセスポイント内に格納されているリソースにアクセスすることが可能である。
【００１５】
可能な設計においては、ＡＥによって送信されたアクセスポイント更新要求メッセージをＭ２Ｍプラットフォームが受信した後に、Ｍ２Ｍプラットフォームは、削除されたまたは置き換えられたアクセスポイント情報内にあるＭ２ＭゲートウェイのＣＳＥ識別子に対応するＭ２Ｍゲートウェイへリソース削除要求メッセージをさらに送信し得、リソース削除要求メッセージは、ＡＥの接続リソースの識別子を搬送する。次いで、Ｍ２Ｍプラットフォームは、削除されたまたは置き換えられたアクセスポイント情報内にあるＭ２ＭゲートウェイのＣＳＥ識別子に対応するＭ２Ｍゲートウェイによって送信された成功応答メッセージを受信し、成功応答メッセージは、ＡＥの接続リソースが削除されていることを表すために使用される。最後に、Ｍ２Ｍプラットフォームは、成功応答メッセージをＡＥへ送信する。以前にアクセスしているＡＥに対応する接続リソースが、Ｍ２Ｍゲートウェイを使用することによって削除されて、Ｍ２Ｍゲートウェイのカバレッジエリアを去ったＡＥに対応する接続リソースがＭ２Ｍゲートウェイのストレージスペースを占めることを回避し、それによってＭ２Ｍゲートウェイのストレージスペースを節約する。
【００１６】
可能な設計においては、Ｍ２Ｍプラットフォームは、別のデバイスによってＡＥへ送信された通知メッセージをさらに受信し得、通知メッセージは、ＡＥの識別子を搬送する。次いで、Ｍ２Ｍプラットフォームは、ＡＥの登録リソース内に含まれているＡＥのアクセスポイント情報がＭ２ＭゲートウェイのＣＳＥ識別子であることをＡＥの識別子に基づいて決定する。最後に、Ｍ２Ｍプラットフォームは、通知メッセージをＭ２Ｍゲートウェイへ転送する。したがって、現在のアクセスポイントが、ＣＳＥ識別子に対応するＭ２Ｍゲートウェイである期間に、ＡＥがアクセスポイント切り替えを完了した後に、ＡＥによってサブスクライブされたリソースが配置されているデバイスが、ＡＥによってサブスクライブされたリソースが変わった後に通知メッセージをＡＥへ送信して、変更後のリソースの最新のステータスをＡＥに知らせる。
【００１７】
第２の態様によれば、本発明の実施形態は、コンピュータストレージメディアを提供する。このコンピュータストレージメディアは、前述のＭ２Ｍプラットフォームによって使用されるコンピュータソフトウェア命令を格納するように構成されており、前述の態様を実行するために設計されているプログラムを含む。
【００１８】
第３の態様によれば、本発明の実施形態は、Ｍ２Ｍプラットフォームを提供する。このＭ２Ｍプラットフォームは、前述の方法におけるＭ２Ｍプラットフォームの実際の行動を実施する機能を有する。その機能は、ハードウェアによって実施され得、または対応するソフトウェアを実行することによってハードウェアによって実施され得る。ハードウェアまたはソフトウェアは、前述の機能に対応する１つまたは複数のユニットを含む。
【００１９】
第４の態様によれば、Ｍ２Ｍプラットフォームの構造は、メモリ、トランシーバ、およびプロセッサを含む。メモリは、コンピュータ実行可能プログラムコードを格納するように構成されており、トランシーバに結合されている。そのプログラムコードは、命令を含み、プロセッサがその命令を実行したときに、その命令は、前述の方法に関連した情報または命令を装置が実行することを可能にする。
【００２０】
第５の態様によれば、本発明は、アクセスポイント切り替え方法を提供し、この方法は、Ｍ２Ｍシステムに適用される。Ｍ２Ｍシステムは、Ｍ２Ｍプラットフォーム、アプリケーションエンティティーＡＥ、およびＭ２Ｍゲートウェイを含む。Ｍ２Ｍプラットフォームは、ＡＥがアクセスポイント変更を実行する前のＡＥのためのアクセスポイントである。Ｍ２Ｍゲートウェイは、ＡＥがアクセスポイント変更を実行した後のＡＥのためのアクセスポイントである。Ｍ２Ｍプラットフォームは、Ｍ２Ｍゲートウェイのためのアクセスポイントである。特に、
ＡＥは、アクセスポイント切り替え要求メッセージをＭ２Ｍプラットフォームへ送信することであって、アクセスポイント切り替え要求メッセージは、Ｍ２ＭゲートウェイのＣＳＥ識別子を搬送する、送信することと、次いで、Ｍ２Ｍプラットフォームによって送信されたアクセスポイント切り替え応答メッセージを受信することであって、アクセスポイント切り替え応答メッセージは、Ｍ２ＭゲートウェイによってＡＥに割り当てられたアクセス情報を搬送する、受信することと、最後に、Ｍ２ＭゲートウェイによってＡＥに割り当てられたアクセス情報に基づいてリソースアクセス要求をＭ２Ｍゲートウェイへ送信することとを行う。本発明の実施形態においては、ＡＥは、登録ポイントを変更することなくＭ２Ｍゲートウェイを使用することによってアクセスを直接に実行して、Ｍ２Ｍプラットフォームを使用することによってＡＥとともに実行される必要がある別の通信サービスの途絶を回避し、それによってユーザ経験を改善することが可能である。
【００２１】
可能な設計においては、ＡＥのアクセス情報は、Ｍ２Ｍゲートウェイが属するネットワークのローカルエリアネットワーク識別子をさらに含む。ＡＥがアクセスポイント切り替え要求メッセージをＭ２Ｍプラットフォームへ送信する前に、ＡＥは、Ｍ２Ｍゲートウェイが属するローカルエリアネットワークにアクセスし、ローカルエリアネットワークのローカルエリアネットワーク識別子を決定する。次いで、ＡＥは、ローカルエリアネットワーク識別子に対応するＭ２Ｍゲートウェイのものである共通サービスエンティティーＣＳＥ識別子をクエリーするための要求メッセージをＭ２Ｍプラットフォームへ送信し、ローカルエリアネットワーク識別子に対応するＭ２ＭゲートウェイのものであるＣＳＥ識別子をクエリーするための要求メッセージは、ローカルエリアネットワーク識別子を搬送する。最後に、ＡＥは、Ｍ２Ｍプラットフォームによって送信され、かつＭ２ＭゲートウェイのＣＳＥ識別子を搬送する成功メッセージを受信する。したがって、ＡＥは、Ｍ２Ｍゲートウェイが属するローカルエリアネットワークのローカルエリアネットワーク識別子に基づいて、ＡＥがアクセスする必要があるＭ２ＭゲートウェイのＣＳＥ識別子を入手し得る。
【００２２】
可能な設計においては、ＡＥがアクセスポイント切り替え要求メッセージをＭ２Ｍプラットフォームへ送信する前に、ＡＥは、ＡＥに隣接したＭ２Ｍゲートウェイに関する入手要求をＭ２Ｍプラットフォームへ送信し、ＡＥに隣接したＭ２Ｍゲートウェイに関する入手要求は、ＡＥのロケーション情報、およびＡＥによってサポートされるローカルエリアネットワークタイプに対応するローカルエリアネットワークによってカバーされるエリアに関する情報を搬送する。次いで、ＡＥは、Ｍ２Ｍプラットフォームによって返信されるＡＥに隣接したＭ２Ｍゲートウェイの共通サービスエンティティーＣＳＥ識別子を受信する。その後に、ＡＥは、ＡＥによってサポートされるローカルエリアネットワークタイプと同じであるタイプを有するローカルエリアネットワークに属するＭ２ＭゲートウェイのＣＳＥ識別子をクエリーするための要求をＭ２Ｍプラットフォームへ送信し、ＡＥによってサポートされるローカルエリアネットワークタイプと同じであるタイプを有するローカルエリアネットワークに属するＭ２ＭゲートウェイのＣＳＥ識別子をクエリーするための要求は、ＡＥに隣接したＭ２ＭゲートウェイのＣＳＥ識別子、およびＡＥによってサポートされるローカルエリアネットワークタイプを搬送する。最後に、ＡＥは、ＡＥに隣接していて、かつＡＥによってサポートされるローカルエリアネットワークタイプと同じであるタイプを有するローカルエリアネットワークに属するＭ２Ｍゲートウェイの、Ｍ２Ｍプラットフォームによって返信されたＣＳＥ識別子を受信する。したがって、Ｍ２Ｍゲートウェイが属するローカルエリアネットワークのネットワークタイプのみをＡＥが入手する場合には、ＡＥは、Ｍ２Ｍプラットフォームによって送信されるＡＥに対応するＭ２ＭゲートウェイのＣＳＥ識別子を依然として入手することが可能であり、それによってＡＥは、Ｍ２ＭゲートウェイのＣＳＥ識別子に基づいてＭ２Ｍゲートウェイにアクセスすることが可能である。
【００２３】
第６の態様によれば、本発明の実施形態は、コンピュータストレージメディアを提供する。このコンピュータストレージメディアは、前述のＡＥによって使用されるコンピュータソフトウェア命令を格納するように構成されており、前述の態様を実行するために設計されているプログラムを含む。
【００２４】
第７の態様によれば、本発明の実施形態は、ＡＥを提供する。このＡＥは、前述の方法におけるＡＥの実際の行動を実施する機能を有する。その機能は、ハードウェアによって実施され得、または対応するソフトウェアを実行することによってハードウェアによって実施され得る。ハードウェアまたはソフトウェアは、前述の機能に対応する１つまたは複数のユニットを含む。
【００２５】
第８の態様によれば、ＡＥの装置の構造は、メモリ、トランシーバ、およびプロセッサを含む。メモリは、コンピュータ実行可能プログラムコードを格納するように構成されており、トランシーバに結合されている。そのプログラムコードは、命令を含み、プロセッサがその命令を実行したときに、その命令は、前述の方法に関連した情報または命令を装置が実行することを可能にする。
【００２６】
第９の態様によれば、本発明は、アクセスポイント切り替え方法を提供し、この方法は、Ｍ２Ｍシステムに適用される。Ｍ２Ｍシステムは、Ｍ２Ｍプラットフォーム、アプリケーションエンティティーＡＥ、およびＭ２Ｍゲートウェイを含む。Ｍ２Ｍプラットフォームは、ＡＥがアクセスポイント切り替えを実行する前のＡＥのためのアクセスポイントである。Ｍ２Ｍゲートウェイは、ＡＥがアクセスポイント変更を実行した後のＡＥのためのアクセスポイントである。Ｍ２Ｍプラットフォームは、Ｍ２Ｍゲートウェイのためのアクセスポイントである。特に、
Ｍ２Ｍゲートウェイは、Ｍ２Ｍプラットフォームによって送信されたリソース作成要求メッセージを受信することであって、リソース作成要求メッセージは、ＡＥの接続リソースを作成するようにＭ２Ｍゲートウェイに要求するために使用され、リソース作成要求メッセージは、ＡＥの識別子を搬送する、受信することと、次いでリソース作成要求メッセージに基づいてＡＥの接続リソースを作成することであって、ＡＥの接続リソースは、ＡＥのアクセス情報を含む、作成することとを行う。その後に、Ｍ２Ｍゲートウェイは、リソース作成が成功していることを示す応答メッセージをＭ２Ｍプラットフォームへ送信し、リソース作成が成功していることを示す応答メッセージは、Ｍ２ＭゲートウェイによってＡＥに割り当てられたアクセス情報を搬送する。次いで、Ｍ２Ｍゲートウェイは、Ｍ２ＭゲートウェイによってＡＥに割り当てられたアクセス情報に基づいてＡＥによって送信されたリソースアクセス要求メッセージを受信する。最後に、Ｍ２Ｍゲートウェイは、リソースアクセス要求メッセージを処理する。したがって、Ｍ２Ｍゲートウェイがサービス要求を受信し、そのサービス要求が、Ｍ２Ｍゲートウェイのサービスを求めるサービス要求ではない場合には、Ｍ２Ｍゲートウェイは、ＡＥの作成された接続リソースに基づいてそのサービス要求をＭ２Ｍプラットフォームへ送信して、サービス途絶を回避し、それによってユーザ経験を改善することが可能である。
【００２７】
可能な設計においては、Ｍ２Ｍゲートウェイがリソース作成要求メッセージに基づいてＡＥの接続リソースを作成した後に、Ｍ２Ｍゲートウェイは、Ｍ２Ｍゲートウェイが属するネットワークのローカルエリアネットワーク識別子に基づいてローカルエリアネットワーク内のＡＥの接続アドレスを割り当てる。したがって、ＡＥは、ローカルエリアネットワーク内の接続アドレスを入手することが可能であり、次いでＡＥは、ローカルエリアネットワーク内の接続アドレスに基づいて、ローカルエリアネットワーク内の接続アドレスに対応するＭ２Ｍゲートウェイにアクセスすることが可能である。
【００２８】
可能な設計においては、ＡＥのアクセス情報は、Ｍ２Ｍゲートウェイが属するネットワークのローカルエリアネットワーク識別子をさらに含む。Ｍ２Ｍゲートウェイがリソース作成要求メッセージに基づいてＡＥの接続リソースを作成した後に、Ｍ２Ｍゲートウェイは、Ｍ２Ｍゲートウェイが属するネットワークのローカルエリアネットワーク識別子に基づいてローカルエリアネットワーク内のＡＥの接続キーをさらに割り当て得る。したがって、ＡＥによってＭ２Ｍゲートウェイにアクセスすることのセキュリティーが改善されることが可能である。
【００２９】
可能な設計においては、ＡＥのアクセス情報は、Ｍ２Ｍゲートウェイが属するローカルエリアネットワークのネットワークタイプを含む。Ｍ２Ｍゲートウェイはさらに、ＡＥのロケーション情報を入手し、Ｍ２Ｍゲートウェイが属するネットワークのローカルエリアネットワークのネットワークタイプ、およびＡＥのロケーション情報に基づいてローカルエリアネットワーク内のＡＥの接続アドレスを割り当て得る。したがって、Ｍ２Ｍゲートウェイは、ＡＥのロケーション情報、およびＭ２Ｍゲートウェイが属するローカルエリアネットワークのネットワークタイプに基づいてローカルエリアネットワーク内のＡＥの接続アドレスを割り当てることが可能であり、それによってＡＥは、Ｍ２Ｍゲートウェイが属するローカルエリアネットワーク内の接続アドレスに基づいて、接続アドレスに対応するＭ２Ｍゲートウェイにアクセスする。
【００３０】
可能な設計においては、ＡＥのアクセス情報は、Ｍ２Ｍゲートウェイが属するローカルエリアネットワークのネットワークタイプを含む。Ｍ２Ｍゲートウェイはさらに、ＡＥのロケーション情報を入手し、Ｍ２Ｍゲートウェイが属するネットワークのローカルエリアネットワークのネットワークタイプ、およびＡＥのロケーション情報に基づいてローカルエリアネットワーク内のＡＥの接続キーを割り当て得る。したがって、Ｍ２Ｍゲートウェイは、ＡＥのロケーション情報、およびＭ２Ｍゲートウェイが属するネットワークのローカルエリアネットワークのネットワークタイプに基づいてローカルエリアネットワーク内のＡＥの接続キーを割り当て、それによって、ＡＥによってローカルエリアネットワークにアクセスすることのセキュリティーを改善することが可能である。
【００３１】
第１０の態様によれば、本発明の実施形態は、コンピュータストレージメディアを提供する。このコンピュータストレージメディアは、前述のＭ２Ｍゲートウェイによって使用されるコンピュータソフトウェア命令を格納するように構成されており、前述の態様を実行するために設計されているプログラムを含む。
【００３２】
第１１の態様によれば、本発明の実施形態は、Ｍ２Ｍゲートウェイを提供する。このＭ２Ｍゲートウェイは、前述の方法におけるＭ２Ｍゲートウェイの実際の行動を実施する機能を有する。その機能は、ハードウェアによって実施され得、または対応するソフトウェアを実行することによってハードウェアによって実施され得る。ハードウェアまたはソフトウェアは、前述の機能に対応する１つまたは複数のユニットを含む。
【００３３】
第１２の態様によれば、Ｍ２Ｍゲートウェイの装置の構造は、メモリ、トランシーバ、およびプロセッサを含む。メモリは、コンピュータ実行可能プログラムコードを格納するように構成されており、トランシーバに結合されている。そのプログラムコードは、命令を含み、プロセッサがその命令を実行したときに、その命令は、前述の方法に関連した情報または命令を装置が実行することを可能にする。
【００３４】
ＡＥがＭ２ＭプラットフォームからＭ２Ｍゲートウェイへアクセスポイントを切り替える必要がある場合には、ＡＥは、アクセスポイント切り替え要求をＭ２Ｍプラットフォームへ送信し、それによってＭ２Ｍプラットフォームは、ＡＥの接続リソースを作成するようにＭ２Ｍゲートウェイに要求するということが前述のソリューションから知られることが可能である。Ｍ２ＭゲートウェイがＡＥの接続リソースを成功裏に作成した後に、Ｍ２Ｍプラットフォームは、Ｍ２Ｍゲートウェイの接続アドレスをＡＥの登録リソース内に記録し、アクセスポイント切り替え応答メッセージをＡＥへ送信し、それによってアクセスポイントは、Ｍ２ＭプラットフォームからＭ２Ｍゲートウェイへ切り替えられる。これは、Ｍ２Ｍプラットフォームを使用することによってＡＥとともに実行される必要がある別の通信サービスの途絶を回避し、それによってユーザ経験を改善することが可能である。
【図面の簡単な説明】
【００３５】
本発明における技術的なソリューションについて記述するために、以降では、本発明について記述する上で必要とされる添付の図面について記述する。
【００３６】
【図１Ａ】本発明の実施形態によるＭ２Ｍシステムアーキテクチャーの概略図である。
【図１Ｂ】本発明の実施形態による、ＡＥが接続切り替えを実行するＭ２Ｍシステムの概略構造図である。
【図２】本発明の実施形態によるアクセスポイント切り替え装置の論理構造の概略図である。
【図３Ａ】本発明の実施形態によるＭ２Ｍプラットフォーム上に格納されているＡＥの登録リソースの概略構造図である。
【図３Ｂ】本発明の実施形態によるＭ２Ｍゲートウェイ上に格納されているＡＥの接続リソースの概略構造図である。
【図３Ｃ】本発明の実施形態によるＭ２Ｍプラットフォーム上に格納されているＢａｓｅリソースの概略構造図である。
【図４Ａ】本発明の実施形態によるアクセスポイント切り替え方法のフローチャートである。
【図４Ｂ】本発明の実施形態によるアクセスポイント切り替え方法のフローチャートである。
【図５】本発明の実施形態による、Ｍ２Ｍゲートウェイが属するローカルエリアネットワークにＡＥが入った後にＭ２ＭゲートウェイのＣＳＥ識別子を入手するための方法のフローチャートである。
【図６】本発明の実施形態による、Ｍ２Ｍゲートウェイが属するローカルエリアネットワークによってカバーされるロケーションにＡＥが入った後にＭ２Ｍゲートウェイの識別子を入手するための方法のフローチャートである。
【図７】本発明の実施形態によるＭ２Ｍプラットフォームの装置の概略構造図である。
【図８】本発明の実施形態によるＡＥの装置の概略構造図である。
【図９】本発明の実施形態によるＭ２Ｍゲートウェイの装置の概略構造図である。
【発明を実施するための形態】
【００３７】
以降では、本発明の実施形態における添付の図面を参照しながら、本発明の実施形態における技術的なソリューションについて記述する。明らかに、記述されている実施形態は、本発明の実施形態のうちのいくつかにすぎず、すべてではない。当技術分野における標準的な技術者によって本発明の実施形態に基づいて創造的な取り組みを伴わずに入手されるその他のすべての実施形態は、本発明の保護範囲内に収まるものとする。
【００３８】
本発明の実施形態においては、図１Ｂは、本発明の実施形態によるシステムの概略構造図である。このシステムは、ＡＥ１０、登録サーバ２０、およびリソースサーバ３０を含み、登録サーバ２０は、ＡＥが登録を行うサーバである。登録サーバは、Ｍ２Ｍシステムアーキテクチャーにおいて共通サーバＣＳＥを含む。この実施形態においては、登録サーバのＣＳＥは、Ｒ−ＣＳＥ（レジストラ共通サービスエンティティー）、すなわち、ＡＥが登録を行うＣＳＥと呼ばれる。リソースサーバ３０は、ＡＥによってアクセスされることになるリソースを格納するサーバである。リソースサーバは、Ｍ２Ｍシステムアーキテクチャーにおいて共通サーバＣＳＥを含む。この実施形態においては、リソースサーバのＣＳＥは、Ｈ−ＣＳＥ（ホスティング共通サービスエンティティー）、すなわち、リソースホスティングエンティティーまたは属性ホスティングエンティティーと呼ばれる。本発明のこの実施形態におけるＡＥ１０は、図１Ａにおいて示されているアーキテクチャーにおけるＡＤＮ、ＡＳＮ、ＭＮ、およびＩＮに含まれているエンティティーであり得、登録サーバ２０は、図１Ａにおいて示されているアーキテクチャーにおけるＡＳＮ、ＭＮ、またはＩＮであり得るということに留意されたい。リソースサーバは、図１Ａにおいて示されているアーキテクチャーにおけるＡＳＮ、ＭＮ、またはＩＮであり得る。本発明のこの実施形態においては、１つのＡＥ１０が、最大で１つの登録サーバ２０に登録することが可能である。登録サーバ２０は、オペレータプラットフォームであり得、またはホームゲートウェイであり得る。本発明のこの実施形態においては、ＡＥのための登録サーバはＩＮ（すなわちＭ２Ｍプラットフォーム）であると想定される。このケースにおいては、Ｒ−ＣＳＥは、Ｍ２ＭプラットフォームのＣＳＥである。リソースサーバ３０は、特定のサービスを提供し、天気サーバであり得、またはフリート管理サーバであり得る。ＡＥ１０は、登録サーバ２０を使用することによって、リソースサーバ３０からリソースまたはリソースの属性を入手し得る。本発明のこの実施形態においては、リソースサーバはＭＮであり、以降の説明におけるＨ−ＣＳＥはＭ２ＭゲートウェイのＣＳＥであると想定される。
【００３９】
図２は、本発明の実施形態によるアクセスポイント切り替え装置の概略構造図である。このアクセスポイント切り替え装置は、アクセスポイント切り替え要求メッセージを受信し、図１Ｂにおいて示されているＭ２Ｍシステムにおけるアクセスポイント切り替え手順をトリガーするように構成されている。この装置２００は、トランシーバ（ｔｒａｎｓｃｅｉｖｅｒ）２０６に結合されている１つまたは複数のポート２０８を含み得る。トランシーバ２０６は、送信機、受信機、またはそれらの組合せであり得、このトランシーバは、別のエンティティーと対話するように構成されている。プロセッサ２０２が、トランシーバ２０６に結合されており、データパケットを処理するように構成されている。プロセッサ２０２は、１つもしくは複数のマルチコアプロセッサおよび／またはメモリ２０４を含み得る。プロセッサ２０２は、汎用プロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、またはデジタルシグナルプロセッサ（ＤＳＰ）であり得る。
【００４０】
メモリ２０４は、非一時的ストレージメディアであり得、プロセッサ２０２に結合されており、意味記述リソース、および意味記述リソースを使用することによって記述されるリソースなど、さまざまなタイプのデータを格納するように構成されている。メモリ２０４は、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、もしくは、情報および命令を格納することが可能である別のタイプのダイナミックストレージデバイスを含み得、またはディスクメモリであり得る。メモリ２０４は、意味検証に関連した方法を実施するための命令を格納するように構成され得る。実行可能な命令がプログラムされ、または装置２００のプロセッサ２０２、キャッシュ、および長期メモリのうちの少なくとも１つへとロードされるということが理解され得る。
【００４１】
例においては、装置２００は、ＡＥのための登録サーバ（Ｍ２Ｍプラットフォームなど）として使用され、メモリ２０４、プロセッサ２０２、およびトランシーバ２０６を含む。メモリ２０４は、コンピュータ実行可能プログラムコード、ならびにＡＥの登録リソースおよび接続リソースを格納し、リソースサーバとして使用されるＣＳＥ（すなわちＨ−ＣＳＥ）の登録リソースを格納するように構成されている。プロセッサ２０２は、メモリ２０４およびトランシーバ２０６に結合されている。
【００４２】
プログラムコードは、命令を含む。プロセッサがその命令を実行したときに、その命令は、図４Ａおよび図４Ｂ、図５、ならびに図６においてＭ２Ｍプラットフォームによって実行される関連したステップをネットワーク要素が実行することを可能にする。
【００４３】
別の例においては、図２において示されている装置は、Ｍ２Ｍゲートウェイであり得、本発明のこの実施形態に従って１つまたは複数の命令を実行して、アクセスポイント切り替えを実行し得る。それらの命令は、メモリ２０４内に格納され得る。プロセッサがそれらの命令を実行したときに、それらの命令は、図４Ａおよび図４Ｂ、図５、ならびに図６においてＭ２Ｍゲートウェイによって実行される関連したステップをこの装置が実行することを可能にする。
【００４４】
別の例においては、装置２００は、Ｍ２Ｍデバイスとして使用され、メモリ２０４、プロセッサ２０２、およびトランシーバ２０６を含む。メモリ２０４は、コンピュータ実行可能プログラムコードを格納するように構成されており、プロセッサ２０２は、メモリ２０４およびトランシーバ２０６に結合されている。
【００４５】
プログラムコードは、命令を含む。プロセッサがその命令を実行したときに、その命令は、図４Ａおよび図４Ｂ、図５、ならびに図６においてＡＥによって実行される関連したステップをネットワーク要素が実行することを可能にする。
【００４６】
加えて、図２はさらに、本発明の実施形態による別のアクセスポイント切り替え装置（ＡＥによってアクセスされることになるリソースサーバなど）の概略図であり得る。ＡＥによってアクセスされることになるリソースサーバ（すなわち、本発明のこの実施形態においては、Ｈ−ＣＳＥが配置されているサーバ）として、図２におけるデバイスは、メモリ２０４、プロセッサ２０２、およびトランシーバ２０６を含む。メモリ２０４は、ＡＥによってアクセスされることになるリソース、およびコンピュータ実行可能プログラムコードを格納するように構成されており、プロセッサ２０２は、メモリ２０４およびトランシーバ２０６に結合されている。
【００４７】
プログラムコードは、命令を含む。プロセッサがその命令を実行したときに、その命令は、図４Ａおよび図４Ｂ、図５、ならびに図６においてＡＥによってアクセスされることになるリソースサーバ（Ｍ２Ｍゲートウェイなど）によって実行される関連したステップをネットワーク要素が実行することを可能にする。
【００４８】
図３Ａは、Ｍ２Ｍプラットフォーム上に格納されているＡＥの登録リソースの概略構造図である。特に、ＡＥの登録リソースは、Ｍ２Ｍプラットフォーム上でＡＥによって作成され、かつＭ２Ｍプラットフォーム上に記録されるリソースである（特に、登録リソースは、Ｍ２ＭプラットフォームのＣＳＥによってＭ２ＭプラットフォームのＣＳＥ内に記録されるリソースであり得る）。ＡＥの登録リソースは、ＡＥの識別子（ＡＥ−ＩＤ）およびアクセスポイント情報（ｐｏｉｎｔＯｆＡｃｃｅｓｓ）を含む。ＡＥ−ＩＤ属性の特定のコンテンツは、ＡＥ−ＩＤであり、アクセスポイント情報属性の特定のコンテンツは、ＡＥのためのアクセスポイントのＣＳＥ識別子、およびＡＥのアクセス情報（ａｃｃｅｓｓＩｎｆｏ）を含む。
【００４９】
特に、ＡＥの登録リソースは、一つのアクセスポイント情報（ｐｏｉｎｔＯｆＡｃｃｅｓｓ）を含み得、またはリストの形式の複数片のｐｏｉｎｔＯｆＡｃｃｅｓｓを含み得る。ＡＥの登録リソースが、複数片のｐｏｉｎｔＯｆＡｃｃｅｓｓを含むリストである場合には、そのリスト内の特定のロケーションにおけるアクセスポイント情報のみが、ＡＥによって使用されているアクセスポイントに関する情報である。特に、その特定のロケーションは、そのリスト内の最初のロケーションであり得、最後のロケーションであり得、またはＭ２Ｍプラットフォームによって決定される任意のロケーションであり得る。
【００５０】
ＡＥのアクセス情報は、ＡＥによってアクセスされるローカルエリアネットワークに関する情報（たとえば、ＡＥによってアクセスされるローカルエリアネットワークの識別子（ａｒｅａＮｗｋＩｄ）、および／またはローカルエリアネットワークのタイプ（ａｒｅａＮｗｋＴｙｐｅ））、ならびにＡＥによって使用されるアクセスポイント（この実施形態においてはＭ２Ｍゲートウェイなど）によってＡＥに割り当てられるアクセス情報（アクセスキー（ａｃｃｅｓｓＫｅｙ）および／またはローカルエリアネットワークアドレス（ａｒｅａＮｗｋＡｄｄｒｅｓｓ）など）を含む。アクセスキー（ａｃｃｅｓｓＫｅｙ）およびローカルエリアネットワークアドレス（ａｒｅａＮｗｋＡｄｄｒｅｓｓ）は、アクセスポイント（Ｍ２Ｍゲートウェイなど）によってＡＥに割り当てられる。
【００５１】
図３Ｂは、ＡＥのためのアクセスポイントとして使用されるＭ２Ｍゲートウェイ上に格納されているＡＥの接続リソースの概略図である。
【００５２】
ＡＥの接続リソースは、ＡＥがアクセスポイント切り替えを実行するプロセス、たとえば、アクセスポイントがＭ２ＭプラットフォームからＭ２Ｍゲートウェイへ切り替えられるプロセスにおいてＭ２Ｍゲートウェイによって作成および格納されるリソース（たとえば、＜ＡＥＡｔｔａｃｈ＞）である。ＡＥの接続リソースは、ＡＥ−ＩＤ、ＡＥのアクセス情報（ａｃｃｅｓｓＩｎｆｏ）、およびＡＥの登録リソースのＩＤ（＜ＡＥ＞のＩＤ）を含む。ＡＥのアクセス情報（ａｃｃｅｓｓＩｎｆｏ）内に含まれているコンテンツは、図３ＡにおけるＭ２ＭプラットフォームのＣＳＥ内に格納されている（ａｃｃｅｓｓＩｎｆｏ）のコンテンツと同じである。本発明のこの実施形態においては、詳細がここで再び記述されることはない。
【００５３】
アクセスポイントは、Ｍ２Ｍシステムによって提供されるサービスをＡＥが使用する場合に、ＡＥによって送信されたメッセージが最初に到着するオブジェクトである。Ｍ２Ｍシステム内のいずれかのデバイスへメッセージを送信する場合に、ＡＥは、最初にＡＥのためのアクセスポイントへメッセージを送信する必要があり、次いでアクセスポイントが、Ｍ２Ｍシステム内の別のデバイスへメッセージを転送する。アクセスポイントは、ＡＥのアクセス情報を格納する。ＡＥへ転送される必要があるメッセージを受信する場合に、アクセスポイントは、ＡＥのアクセス情報を使用することによってアドレス指定することを通じてＡＥを見つけ出し、メッセージを転送し得る。アクセスポイントは通常、ＣＳＥが配置されているデバイス、たとえば、Ｍ２ＭゲートウェイまたはＭ２Ｍプラットフォームである。
【００５４】
図３Ｃは、Ｍ２Ｍプラットフォーム上に格納されているＣＳＥＢａｓｅリソースの概略構造図である。ＣＳＥＢａｓｅリソースは、すべてのＭ２Ｍゲートウェイの関連した情報を含む。特に、ＣＳＥＢａｓｅリソースは、すべてのＭ２Ｍゲートウェイのリソース（ＭＮ−ＣＳＥ−１およびＭＮ−ＣＳＥ−２など）、すべてのＭ２Ｍゲートウェイに対応するノードのリソース（ＭＮ−ＣＳＥ−１に対応するＮｏｄｅ−１、およびＭＮ−ＣＳＥ−２に対応するＮｏｄｅ−２など）、ならびに、すべてのノードのリソース内にあって、かつそれらのノードに対応するＭ２Ｍゲートウェイが属するローカルエリアネットワークのものであるリソース（Ｎｏｄｅ−１内のａｒｅａＮｗｋＩｎｆｏ１およびａｒｅａＮｗｋＩｎｆｏ２、およびＮｏｄｅ−２内のａｒｅａＮｗｋＩｎｆｏ３）を含む。
【００５５】
さらに、それぞれのＭ２Ｍゲートウェイのリソース（たとえば、ＭＮ−ＣＳＥ−１）に関して、Ｍ２ＭゲートウェイのＣＳＥ識別子が、Ｍ２Ｍゲートウェイのリソースの識別子として使用される。Ｍ２Ｍゲートウェイのリソースは、Ｍ２Ｍゲートウェイのロケーション情報（たとえば、ＭＮ−ＣＳＥ−１のロケーション）をさらに含む。Ｍ２Ｍゲートウェイに対応するノードのリソース（たとえば、Ｎｏｄｅ−１）は、Ｍ２ＭゲートウェイのＣＳＥ識別子（たとえば、ＭＮ−ＣＳＥ−１）（これは、属性として使用される）を含み、Ｍ２Ｍゲートウェイが属するローカルエリアネットワークに関する情報のリソース（たとえば、ａｒｅＮｗｋＩｎｆｏ１およびａｒｅＮｗｋＩｎｆｏ２）（これは、ノードのリソースのサブリソースとして使用される）をさらに含む。図３Ｃにおいて示されているように、リソースＭＮ−ＣＳＥ−１に対応するリソースＮｏｄｅ−１は、ＭＮ−ＣＳＥ−１が配置されているゲートウェイが、２つの異なるローカルエリアネットワークに属するということを示す、２つのローカルエリアネットワークに関する情報のリソースを含む。Ｍ２Ｍゲートウェイが属するローカルエリアネットワークに関する情報のリソース（たとえば、ａｒｅａＮｗｋＩｎｆｏ１）は、Ｍ２Ｍゲートウェイが属するローカルエリアネットワークに関する情報、たとえば、ローカルエリアネットワークのタイプ（ＡｒｅａＮｗｋＴｙｐｅ）、およびローカルエリアネットワークの識別子（ＡｒｅａＮｗｋＩｄ）を含む。
【００５６】
本発明の実施形態は、アクセスポイント切り替え方法を提供して、Ｍ２Ｍプラットフォームを使用することによってＡＥとともに実行される必要がある別の通信サービスの途絶を回避し、それによってユーザ経験を改善する。本発明のこの実施形態においては、例においては、Ｍ２Ｍプラットフォームは、ＡＥがアクセスポイント切り替えを実行する前のＡＥのためのアクセスポイントであり、Ｍ２Ｍゲートウェイは、ＡＥがアクセスポイント切り替えを実行した後のＡＥのためのアクセスポイントであり、Ｍ２Ｍプラットフォームは、Ｍ２Ｍゲートウェイのためのアクセスポイントとして使用される。図４Ａおよび図４Ｂにおいて示されているように、このアクセスポイント切り替え方法は、次のステップを含む。
【００５７】
４０１および４０２．  ＡＥおよびＭ２Ｍゲートウェイは、Ｍ２Ｍプラットフォームへの登録を別々に完了し、Ｍ２Ｍプラットフォームは、ＡＥの登録リソースおよびＭ２Ｍゲートウェイの登録リソースを格納する。
【００５８】
特に、ＡＥの登録リソースは、ＡＥ−ＩＤおよびＡＥのアクセス情報を含む（アクセスポイント切り替えが実行される前に、ＡＥのアクセス情報内に含まれているＣＳＥ識別子は、Ｍ２ＭプラットフォームのＣＳＥ識別子である）。Ｍ２Ｍゲートウェイの登録リソースは、Ｍ２ＭゲートウェイのＣＳＥ識別子およびＭ２Ｍゲートウェイのアクセス情報（すなわち、Ｍ２ＭプラットフォームのＣＳＥ識別子）を含む。
【００５９】
４０３．  ＡＥは、アクセスポイント切り替え要求メッセージをＭ２Ｍプラットフォームへ送信する。
【００６０】
特に、ＡＥは、アクセスポイント切り替え要求メッセージをＭ２Ｍプラットフォーム（すなわち、ＡＥの登録サーバ）へ送信する。アクセスポイント切り替え要求メッセージは、Ｍ２ＭゲートウェイのＣＳＥ識別子（すなわち、切り替え後に入手されたアクセスポイントのＣＳＥの識別子）を搬送する。アクセスポイント切り替え要求メッセージは、Ｍ２Ｍプラットフォーム上のＡＥの登録リソース内のアクセスポイント情報を更新するために使用され得る。
【００６１】
本発明のこの実施形態においては、Ｍ２Ｍプラットフォームは、ＡＥの登録サーバである。ＡＥのアクセスポイント情報は、アクセスポイント切り替え後にＡＥのために使用されるアクセスポイントのＣＳＥの識別子（すなわち、Ｍ２ＭゲートウェイのＣＳＥ識別子）を含む。
【００６２】
任意選択で、ＡＥによって送信されるアクセスポイント切り替え要求メッセージは、ローカルエリアネットワーク内のＡＥのアクセス情報をさらに含み得る。特に、そのアクセス情報は、ＡＥによってアクセスされたローカルエリアネットワークのローカルエリアネットワーク識別子、またはＡＥによってサポートされるローカルエリアネットワークタイプを含む。ＡＥのアクセス情報は、ＡＥが、特定のローカルエリアネットワークにおいてＭ２Ｍゲートウェイを使用することによってアクセスを実行しているということを示す。ＡＥによって送信されたアクセスポイント切り替え要求メッセージが、ローカルエリアネットワーク内のＡＥのアクセス情報を含んでいない場合には、それは、Ｍ２Ｍゲートウェイによって割り当てられたアクセス情報、たとえば、Ｍ２Ｍゲートウェイによって割り当てられているローカルエリアネットワークのキー、またはＭ２Ｍゲートウェイによって割り当てられているローカルエリアネットワークのネットワークアドレスをＡＥが受信し得るということを示す。
【００６３】
図３Ａにおいて示されているアクセス情報においては、ａｒｅａＮｗｋＴｙｐｅおよびａｒｅａＮｗｋＩｄは、二者択一のオプションであるということに留意されたい。言い換えれば、アクセス情報がパラメータａｒｅａＮｗｋＴｙｐｅを含む場合には、そのアクセス情報はパラメータａｒｅａＮｗｋＩｄを含まない。アクセス情報がパラメータａｒｅａＮｗｋＩｄを含む場合には、そのアクセス情報はパラメータａｒｅａＮｗｋＴｙｐｅを含まない。
【００６４】
例においては、ＡＥのアクセス情報がパラメータａｒｅａＮｗｋＩｄを含む場合には、アクセスポイント切り替え要求メッセージは、下記のとおりであり得る。
アクセスポイント切り替え要求メッセージがアクセス情報を搬送するケースにおいては、
Ｐｕｔ  ／ｍ２ｍ．ｐｒｏｖｉｄｅｒ．ｃｏｍ／ＣＳＥＢａｓｅ／ＡＥ  ＨＴＴＰ／１．１
＜？ｘｍｌ  ｖｅｒｓｉｏｎ＝“１．０”  ｅｎｃｏｄｉｎｇ＝“ＵＴＦ−８”？＞
＜ＡＥ＞
＜ｐｏｉｎｔＯｆＡｃｃｅｓｓ＞
＜ＣＳＥ−ＩＤ＞／／ｗｗｗ．ｍ２ｍｐｒｏｖｉｄｅｒ．ｃｏｍ  ／Ｃ３２１９＜／ＣＳＥ−ＩＤ＞
＜ａｃｃｅｓｓＩｎｆｏ＞
＜ａｒｅａＮｗｋＩｄ＞１２ｉｄｑ９６ｓ  ＜／ａｒｅａＮｗｋＩｄ＞
＜／ａｃｃｅｓｓＩｎｆｏ＞
＜／ｐｏｉｎｔＯｆＡｃｃｅｓｓ＞
＜／ＡＥ＞
【００６５】
／ｍ２ｍ．ｐｒｏｖｉｄｅｒ．ｃｏｍ／ＣＳＥＢａｓｅ／ＡＥは、Ｍ２Ｍプラットフォーム上のＡＥの登録リソースの識別子である。Ｐｕｔは、Ｍ２Ｍプラットフォーム上のＡＥの登録リソースが更新される必要があるということを示している。＜ｐｏｉｎｔＯｆＡｃｃｅｓｓ＞は、要求メッセージがＡＥのアクセスポイント情報を搬送するということを示している。
【００６６】
特に、属性＜ＣＳＥ−ＩＤ＞の値は、切り替え後に入手されたアクセスポイントのＣＳＥ識別子に対応するＭ２Ｍゲートウェイを示す／／ｗｗｗ．ｍ２ｍｐｒｏｖｉｄｅｒ．ｃｏｍ  ／Ｃ３２１９＜／ＣＳＥ−ＩＤ＞である。この例においては、ＣＳＥ識別子は、／／ｗｗｗ．ｍ２ｍｐｒｏｖｉｄｅｒ．ｃｏｍ  ／ｃ３２１９であり、属性＜ａｒｅａＮｗｋＩｄ＞は、切り替え後に入手されたアクセスポイントが属するネットワークのローカルエリアネットワーク識別子である。この例においては、切り替え後に入手されたアクセスポイントが属するネットワークのローカルエリアネットワーク識別子は、１２ｉｄｑ９６ｓである。
【００６７】
別の例においては、アクセスポイント切り替え要求メッセージは、代替として、属性＜ａｒｅａＮｗｋＩｄ＞を含まずに属性＜ａｒｅａＮｗｋＴｙｐｅ＞を含み得る。この例においては、ローカルエリアネットワークタイプは、ワイヤレスフィディリティー（英語のフルネーム：  Ｗｉｒｅｌｅｓｓ  Ｆｉｄｅｌｉｔｙ、略してＷｉＦｉ）である。
【００６８】
４０４．  Ｍ２Ｍプラットフォームは、リソース作成要求メッセージをＭ２Ｍゲートウェイへ送信する。
【００６９】
リソース作成要求メッセージは、ＡＥの接続リソース（ＡＥＡｔｔａｃｈ）を作成するようにＭ２Ｍゲートウェイに要求するために使用され、リソース作成要求メッセージは、ＡＥ−ＩＤを含む。
【００７０】
任意選択で、アクセスポイント切り替え要求が、ステップ４０３においてＡＥのアクセス情報（たとえば、ＡＥがアクセスポイント切り替えを実行した後に入手されたローカルエリアネットワーク識別子またはローカルエリアネットワークタイプ）をさらに含み得る場合には、Ｍ２Ｍプラットフォームはさらに、ステップ４０４を実行する前にまたはその後にＡＥのアクセスポイント情報内にＡＥのアクセス情報を格納する必要がある。特に、ＡＥがアクセスポイント切り替えを実行した後に入手されたローカルエリアネットワーク識別子またはローカルエリアネットワークタイプは、ＡＥのアクセスポイント情報（ｐｏｉｎｔＯｆＡｃｃｅｓｓ）内のアクセス情報（ＡｃｃｅｓｓＩｎｆｏ）に格納され得る。
【００７１】
本発明のこの実施形態においては、ＡＥが、Ｍ２ＭサービスのためのアクセスポイントとしてＭ２Ｍゲートウェイを使用する必要があるので、Ｍ２Ｍプラットフォームは、リソース作成要求メッセージをＭ２Ｍゲートウェイへ送信する必要があり、それによってＭ２Ｍゲートウェイは、ＡＥの接続リソースを作成し、Ｍ２Ｍゲートウェイは、ＡＥの接続リソースに基づいて、ＡＥに対応するＭ２ＭサービスをＡＥへ送信することが可能である。ステップ４０３において示されているように、ＡＥのアクセス情報は、Ｍ２Ｍゲートウェイが属するネットワークのローカルエリアネットワーク識別子、またはＭ２Ｍゲートウェイが属するネットワークのネットワークタイプを含み得る。本発明のこの実施形態においては、ＡＥのアクセス情報が、Ｍ２Ｍゲートウェイが属するネットワークのローカルエリアネットワーク識別子である場合には、Ｍ２Ｍプラットフォームによって送信されるリソース作成要求メッセージは、下記のとおりである。
ＰＯＳＴ  ／ｍ２ｍ．ｐｒｏｖｉｄｅｒ．ｃｏｍ／ｔｒａｎｓｆｅｒ  ＨＴＴＰ／１．１
＜？ｘｍｌ  ｖｅｒｓｉｏｎ＝“１．０”  ｅｎｃｏｄｉｎｇ＝“ＵＴＦ−８”？＞
＜ＡＥＡｔｔａｃｈ＞
＜ＡＥ−ＩＤ＞  Ｓａ３ｅ３ｆ３ａｂ  ＜／ＡＥ−ＩＤ＞
＜ａｃｃｅｓｓＩｎｆｏ＞
＜ａｒｅａＮｗｋＩｄ＞１２ｉｄｑ９６ｓ  ＜／ａｒｅａＮｗｋＩｄ＞
＜／ａｃｃｅｓｓＩｎｆｏ＞
＜ＩＤｏｆＡＥ＞／／ｗｗｗ．ｍ２ｍｐｒｏｖｉｄｅｒ．ｃｏｍ／ＣＳＥＢａｓｅ／ＡＥ＜／ＩＤｏｆＡＥ＞
＜／ＡＥＡｔｔａｃｈ＞
【００７２】
特に、ＰＯＳＴは、ＡＥの接続リソースがＭ２Ｍゲートウェイ上で作成される必要があるということを示している。パラメータ／ｍ２ｍ．ｐｒｏｖｉｄｅｒ．ｃｏｍ／ｔｒａｎｓｆｅｒは、Ｍ２Ｍゲートウェイ上のリソースの識別子であり、Ｓａ３ｅ３ｆ３ａｂは、ＡＥ−ＩＤである。パラメータ１２ｉｄｑ９６ｓは、ＡＥによってアクセスされるＭ２Ｍゲートウェイが属するネットワークのローカルエリアネットワーク識別子である。
【００７３】
別の例においては、ＡＥのアクセス情報が、Ｍ２Ｍゲートウェイが属するネットワークのローカルエリアネットワークタイプである場合には、リソース作成要求メッセージは、下記のとおりである。
ＰＯＳＴ  ／ｍ２ｍ．ｐｒｏｖｉｄｅｒ．ｃｏｍ／ｔｒａｎｓｆｅｒ  ＨＴＴＰ／１．１
Ｈｏｓｔ：  ｅｘａｍｐｌｅＭＮ．ｃｏｍ
＜？ｘｍｌ  ｖｅｒｓｉｏｎ＝“１．０”  ｅｎｃｏｄｉｎｇ＝“ＵＴＦ−８”？＞
＜ＡＥＡｔｔａｃｈ＞
＜ＡＥ−ＩＤ＞  Ｓａ３ｅ３ｆ３ａｂ＜／ＡＥ−ＩＤ＞
＜ａｃｃｅｓｓＩｎｆｏ＞
＜ａｒｅａＮｗｋＴｙｐｅ＞Ｗｉｆｉ  ＜／ａｒｅａＮｗｋＴｙｐｅ＞
…
＜／ａｃｃｅｓｓＩｎｆｏ＞
…
＜／ＡＥＡｔｔａｃｈ＞
【００７４】
特に、ＰＯＳＴは、ＡＥの接続リソースがＭ２Ｍゲートウェイ上で作成される必要があるということを示している。パラメータ／ｍ２ｍ．ｐｒｏｖｉｄｅｒ．ｃｏｍ／ｔｒａｎｓｆｅｒは、Ｍ２Ｍゲートウェイ上のリソースの識別子である。Ｓａ３ｅ３ｆ３ａｂは、ＡＥ−ＩＤである。パラメータＷｉｆｉは、ＡＥによってサポートされるネットワークのローカルエリアネットワークタイプである。
【００７５】
４０５．  Ｍ２Ｍゲートウェイは、リソース作成が成功していることを示す応答メッセージをＭ２Ｍプラットフォームへ送信する。
【００７６】
特に、Ｍ２Ｍプラットフォームによって送信された接続リソース作成要求を受信した後に、Ｍ２Ｍゲートウェイは、接続リソースを作成し、Ｍ２Ｍゲートウェイは、接続リソース作成が成功していることを示す応答メッセージをＭ２Ｍプラットフォームへ返信する。
【００７７】
特に、Ｍ２Ｍゲートウェイによって作成されるＡＥＡｔｔａｃｈリソース内に含まれるコンテンツに関しては、図３Ｂを参照されたい。本発明のこの実施形態においては、詳細は記述されない。
【００７８】
例においては、リソース作成要求メッセージがアクセス情報（ａｃｃｅｓｓＩｎｆｏ）を含む場合には、Ｍ２Ｍゲートウェイは、アクセス情報（図３Ａまたは図３ＢにおけるａｃｃｅｓｓＩｎｆｏ内の情報を参照されたい）を、ａｃｃｅｓｓＩｎｆｏ内のａｒｅａＮｗｋＩｄまたはａｒｅａＮｗｋＴｙｐｅに基づいてＡＥに割り当て、言い換えれば、ローカルエリアネットワーク内のＡＥのローカルエリアネットワークアドレス（ａｒｅａＮｗｋＡｄｄｒｅｓｓ）、およびローカルエリアネットワーク内のＡＥのアクセスキー（ａｃｃｅｓｓＫｅｙ）を割り当てる。Ｍ２ＭゲートウェイによってＡＥに割り当てられたアクセス情報は、Ｍ２Ｍゲートウェイが属するローカルエリアネットワークへＡＥが成功裏に接続されることを可能にし得る。リソース作成要求メッセージがａｃｃｅｓｓＩｎｆｏを含まない場合には、Ｍ２Ｍゲートウェイは、Ｍ２Ｍゲートウェイによってサポートされるローカルエリアネットワークタイプ、たとえばＷｉＦｉに基づいて、アクセス情報をＡＥに割り当てる。
【００７９】
本発明のこの実施形態においては、ＡＥのアクセス情報が、Ｍ２Ｍゲートウェイが属するネットワークのローカルエリアネットワーク識別子を含む場合には、Ｍ２Ｍゲートウェイは、Ｍ２Ｍゲートウェイが属するローカルエリアネットワークのローカルエリアネットワーク識別子に基づいて、ローカルエリアネットワーク内のＡＥのローカルエリアネットワークアドレスを割り当てる。
【００８０】
本発明のこの実施形態においては、ＡＥのアクセス情報が、Ｍ２Ｍゲートウェイが属するネットワークのローカルエリアネットワークタイプを含む場合には、Ｍ２Ｍゲートウェイは、Ｍ２Ｍゲートウェイが属するローカルエリアネットワークのローカルエリアネットワークタイプに基づいて、ローカルエリアネットワーク内のＡＥのローカルエリアネットワークアドレスを割り当てる。
【００８１】
本発明のこの実施形態においては、ＡＥＡｔｔａｃｈリソースを作成した後に、Ｍ２Ｍゲートウェイは、リソース作成が成功していることを示す応答メッセージをＭ２Ｍプラットフォームへ返信する。作成が成功していることを示す応答メッセージは、成功裏に作成されたＡＥＡｔｔａｃｈリソース内にあって、かつＭ２ＭゲートウェイによってＡＥに割り当てられているアクセス情報（たとえば、ローカルエリアネットワークアドレス（ａｒｅａＮｗｋＡｄｄｒｅｓｓ）およびアクセスキー（ａｃｃｅｓｓＫｅｙ））を含む。本発明のこの実施形態においては、Ｍ２Ｍプラットフォームは、Ｍ２ＭゲートウェイによってＡＥに割り当てられたアクセス情報を、図３Ａにおいて示されているＡｃｃｅｓｓＩｎｆｏ内に記録する。
【００８２】
例においては、Ｍ２ＭゲートウェイによってＭ２Ｍプラットフォームへ送信される、リソース作成が成功していることを示す応答メッセージは、下記のとおりであり得る。
ＨＴＴＰ／１．１  ２０１  Ｃｒｅａｔｅｄ
Ｃｏｎｔｅｎｔ−Ｔｙｐｅ：  ａｐｐｌｉｃａｔｉｏｎ／ｘｍｌ
Ｄａｔｅ：  Ｔｕｅ，  ２４  Ｎｏｖ  ２０１５  ０２：５５：５９  ＧＭＴ
＜？ｘｍｌ  ｖｅｒｓｉｏｎ＝“１．０”  ｅｎｃｏｄｉｎｇ＝“ＵＴＦ−８”？＞
＜ＡＥＡｔｔａｃｈ＞
＜ＡＥ−ＩＤ＞／／ｗｗｗ．ｍ２ｍｐｒｏｖｉｄｅｒ．ｃｏｍ／Ｓａ３ｅ３ｆ３ａｂ＜／ＡＥ−ＩＤ＞
＜ａｃｃｅｓｓＩｎｆｏ＞
＜ａｒｅａＮｗｋＩｄ＞１２ｉｄｑ９６ｓ  ＜／ａｒｅａＮｗｋＩｄ＞
＜ａｒｅａＮｗｋＡｄｄｒｅｓｓ＞１０．１３６．７９．４３  ＜／ａｒｅａＮｗｋＡｄｄｒｅｓｓ＞
＜ａｒｅａＮｗｋＫｅｙ＞ｈｅｌｌｏｗｏｒｌｄ  ＜／ａｒｅａＮｗｋＫｅｙ＞
…
＜／ａｃｃｅｓｓＩｎｆｏ＞
…
＜／ＡＥＡｔｔａｃｈ＞
【００８３】
特に、リソース作成が成功していることを示す応答メッセージは、ＡＥの接続情報（ａｃｃｅｓｓＩｎｆｏ）を含み、ａｃｃｅｓｓＩｎｆｏは、ａｒｅａＮｗｋＩｄ、ａｒｅａＮｗｋＡｄｄｒｅｓｓ、およびａｒｅａＮｗｋＫｅｙを含む。ａｒｅａＮｗｋＩｄは、１２ｉｄｑ９６ｓであり、ａｒｅａＮｗｋＡｄｄｒｅｓｓは、１０．１３６．７９．４３であり、ａｒｅａＮｗｋＫｅｙは、ｈｅｌｌｏｗｏｒｌｄである。
【００８４】
４０６．  Ｍ２Ｍプラットフォームは、アクセスポイント切り替え応答メッセージをＡＥへ送信する。
【００８５】
アクセスポイント切り替え応答メッセージは、Ｍ２ＭゲートウェイによってＡＥに割り当てられたアクセス情報を搬送する。
【００８６】
アクセスポイント切り替え応答メッセージは、切り替え後に入手されるＡＥのアクセスポイント情報（ｐｏｉｎｔＯｆＡｃｃｅｓｓ）を含む。
【００８７】
特に、Ｍ２Ｍゲートウェイによって返信される、リソース作成が成功していることを示す応答メッセージを受信した後に、およびアクセスポイント切り替え応答メッセージをＡＥへ送信する前にまたはその後に、Ｍ２Ｍプラットフォームはさらに、リソース作成が成功していることを示す応答メッセージ内に含まれていて、かつＭ２ＭゲートウェイによってＡＥに割り当てられるアクセス情報（ローカルエリアネットワークアドレス（ａｒｅａＮｗｋＡｄｄｒｅｓｓ）およびアクセスキー（ａｃｃｅｓｓＫｅｙ））を、Ｍ２Ｍプラットフォーム上に格納されているＡＥのアクセスポイント情報（ｐｏｉｎｔＯｆＡｃｃｅｓｓ）内のａｃｃｅｓｓＩｎｆｏ内に記録する。
【００８８】
特に、Ｍ２Ｍプラットフォームは、Ｍ２ＭゲートウェイによってＡＥに割り当てられたアクセス情報をＡＥのアクセスポイント情報内のａｃｃｅｓｓＩｎｆｏ内に記録し、またはＭ２Ｍプラットフォームは、一つの情報をＡＥのアクセスポイント情報リストの特定のロケーションにおいて付加し、Ｍ２ＭゲートウェイによってＡＥに割り当てられたアクセス情報を、特定のロケーションにおいて付加されたアクセスポイント情報内に記録する。
【００８９】
本発明のこの実施形態においては、ＡＥは、アクセスポイント切り替え要求メッセージをＭ２Ｍプラットフォームへ送信し、Ｍ２Ｍプラットフォームは、Ｍ２Ｍゲートウェイに対応するＣＳＥ識別子およびＡＥのアクセス情報をＡＥのアクセスポイント情報（ｐｏｉｎｔＯｆＡｃｃｅｓｓ）内に記録し、Ｍ２Ｍゲートウェイによって割り当てられたアクセス情報（ローカルエリアネットワークアドレスおよびアクセスキーなど）を搬送する成功応答メッセージをＡＥへ送信し、それによってＡＥは、成功応答メッセージ内の情報に基づいてＭ２Ｍゲートウェイに接続され得る。
【００９０】
本発明のこの実施形態においては、リソース作成要求メッセージ内にあるＡＥのアクセス情報が、Ｍ２Ｍゲートウェイが属するローカルエリアネットワークのローカルエリアネットワーク識別子を含む場合には、アクセスポイント切り替え応答メッセージは、下記のとおりであり得る。
ＨＴＴＰ／１．１  ２００  ＯＫ
Ｃｏｎｔｅｎｔ−Ｔｙｐｅ：  ａｐｐｌｉｃａｔｉｏｎ／ｘｍｌ
Ｄａｔｅ：  Ｔｕｅ，  ２４  Ｎｏｖ  ２０１５  ０２：５６：０１ＧＭＴ
＜？ｘｍｌ  ｖｅｒｓｉｏｎ＝“１．０”  ｅｎｃｏｄｉｎｇ＝“ＵＴＦ−８”？＞
…
＜ＡＥ＞
＜ａｃｃｅｓｓＩｎｆｏ＞
＜ＣＳＥ−ＩＤ＞／／ｗｗｗ．ｍ２ｍｐｒｏｖｉｄｅｒ．ｃｏｍ  ／Ｃ３２１９＜／ＣＳＥ−ＩＤ＞
＜ａｒｅａＮｗｋＩｄ＞１２ｉｄｑ９６ｓ  ＜／ａｒｅａＮｗｋＩｄ＞
＜ａｒｅａＮｗｋＡｄｄｒｅｓｓ＞１０．１３６．７９．４３  ＜／ａｒｅａＮｗｋＡｄｄｒｅｓｓ＞
＜ａｒｅａＮｗｋＫｅｙ＞ｈｅｌｌｏｗｏｒｌｄ  ＜／ａｒｅａＮｗｋＫｅｙ＞  …
＜／ａｃｃｅｓｓＩｎｆｏ＞
＜／ＡＥ＞
【００９１】
リソース作成要求メッセージ内にあるＡＥのアクセス情報が、Ｍ２Ｍゲートウェイが属するネットワークのローカルエリアネットワークタイプを含む場合には、アクセスポイント切り替え応答メッセージは、Ｍ２Ｍゲートウェイが属するネットワークのローカルエリアネットワークタイプを含む。
【００９２】
Ｍ２Ｍゲートウェイが属するネットワークのローカルエリアネットワークタイプを含むアクセスポイント切り替え応答メッセージは、Ｍ２Ｍゲートウェイが属するネットワークのローカルエリアネットワーク識別子を含むアクセスポイント切り替え応答メッセージと同様であり、前述のプログラムにおける＜ａｒｅａＮｗｋＩｄ＞１２ｉｄｑ９６ｓ  ＜／ａｒｅａＮｗｋＩｄ＞は、＜ａｒｅａＮｗｋＴｙｐｅ＞ＷｉＦｉ  ＜／ａｒｅａＮｗｋＴｙｐｅ＞と置き換えられる必要がある。
【００９３】
ここまでで、ＡＥのためのアクセスポイント切り替えの手順は、完了され得る。ＡＥは、ＡＥのためのアクセスポイントとしてＭ２Ｍゲートウェイを使用することによって、図１Ｂにおいて示されているアーキテクチャーにおいて提供されるサービスを直接に使用し得る。たとえば、ＡＥは、Ｍ２Ｍゲートウェイを使用することによってＭ２Ｍシステム内のリソースにアクセスし、ＡＥのためのアクセスポイントとして使用されるＭ２Ｍプラットフォームを使用することによって、別のサービスエンティティーによってＡＥへ送信された通知メッセージを受信するか、またはＡＥが配置されているデバイス上のリソースにアクセスし得る。
【００９４】
図４Ａおよび図４Ｂを引き続き参照すると、アクセスポイント切り替えが完了された後に、ＡＥが、ＡＥのためのアクセスポイントとしてＭ２Ｍゲートウェイを使用することによってＭ２Ｍゲートウェイへのリソースアクセスを開始する手順は、下記のステップを含む。
【００９５】
４０７．  ＡＥは、Ｍ２ＭゲートウェイによってＡＥに割り当てられたアクセス情報に基づいてリソースアクセス要求メッセージをＭ２Ｍゲートウェイへ送信する。
【００９６】
Ｍ２ＭゲートウェイによってＡＥに割り当てられたアクセス情報は、Ｍ２Ｍゲートウェイに対応する接続アドレスであり得、リソースアクセス要求メッセージは、アクセスされることになるリソースの識別子を含む。
【００９７】
例においては、リソースアクセス要求メッセージは、下記のとおりであり得る。
ＧＥＴ  ／ｍ２ｍ．ｐｒｏｖｉｄｅｒ．ｃｏｍ／ＣＳＥ２２１／ｃｏｎｔａｉｎｅｒ／ｃｏｎｔｅｎｔｉｎｓｔａｎｃｅ  ＨＴＴＰ／１．１
Ｘ−Ｍ２Ｍ−Ｏｒｉｇｉｎ：  Ｓａ３ｅ３ｆ３ａｂ
この場合、ＧＥＴは、入手オペレーションを示しており、ＨＴＴＰ／１．１は、入手オペレーションがリリースＨＴＴＰ１．１に従うということを示しており、ｍ２ｍ．ｐｒｏｖｉｄｅｒ．ｃｏｍ／ＣＳＥ２２１／ｃｏｎｔａｉｎｅｒ／ｃｏｎｔｅｎｔｉｎｓｔａｎｃｅは、アクセスされることになるリソースの識別子（たとえば、そのリソースのＵＲＩ）である。
【００９８】
４０８．  Ｍ２ＭゲートウェイによってＡＥに割り当てられたアクセス情報に基づいてＡＥによって送信されたリソースアクセス要求メッセージを受信した後に、Ｍ２Ｍゲートウェイは、リソースアクセス要求メッセージを処理する。
【００９９】
本発明のこの実施形態においては、Ｍ２Ｍゲートウェイは、リソースアクセス要求メッセージ内にあるアクセスされることになるリソースの識別子に基づいてリソースアクセス要求メッセージを処理する。
【０１００】
特に、Ｍ２Ｍゲートウェイは、アクセスされることになるリソースの識別子（ｍ２ｍ．ｐｒｏｖｉｄｅｒ．ｃｏｍ／ＣＳＥ２２１／ｃｏｎｔａｉｎｅｒ／ｃｏｎｔｅｎｔｉｎｓｔａｎｃｅ）から知られ得る、かつアクセスされることになるリソースが配置されているＣＳＥのものである識別子（すなわちＣＳＥ２２１）に基づいて、アクセスされることになるリソースの識別子が、ＡＥのためのアクセスポイントとして使用されるＭ２Ｍゲートウェイ上に格納されていないということを決定し得る。したがって、Ｍ２Ｍゲートウェイは、アクセスされることになるリソースを格納しているエンティティー、すなわち、ＣＳＥ２２１であるＣＳＥ識別子を有するＣＳＥが配置されているエンティティーへリソースアクセス要求メッセージを送信する。
【０１０１】
特に、Ｍ２Ｍゲートウェイがリソースアクセス要求メッセージを受信した後に、Ｍ２Ｍゲートウェイが、アクセスされることになるリソースを格納しているエンティティーへそのリソースアクセス要求メッセージを転送する様式は、従来技術に属しており、本発明のこの実施形態においては、詳細は記述されない。
【０１０２】
別の任意選択の様式においては、Ｍ２Ｍゲートウェイが、リソースアクセス要求メッセージ内にあるアクセスされることになるリソースの識別子に基づいて、アクセスされることになるリソースがＭ２Ｍゲートウェイ上に格納されているということを決定した場合には、Ｍ２Ｍゲートウェイは、リソースアクセス要求メッセージに基づいて、対応する処理を直接に実行する。
【０１０３】
アクセスされることになるリソースが、ＡＥのためのアクセスポイントとして使用されるＭ２Ｍゲートウェイ上に格納されているかどうかを、ＡＥのためのアクセスポイントとして使用されるＭ２Ｍゲートウェイが決定するということは、具体的には、リソースアクセス要求内にあって、かつアクセスされることになるリソースが配置されているＣＳＥのものである識別子が、アクセスポイントとして使用されるＭ２ＭゲートウェイのＣＳＥ識別子と同じであるかどうかを、ＡＥのためのアクセスポイントとして使用されるＭ２Ｍゲートウェイによって決定することである。アクセスされることになるリソースが配置されているＣＳＥの識別子が、アクセスポイントとして使用されるＭ２ＭゲートウェイのＣＳＥ識別子と同じである場合には、アクセスされることになるリソースは、ＡＥのためのアクセスポイントとして使用されるＭ２Ｍゲートウェイ上に格納されている。アクセスされることになるリソースが配置されているＣＳＥの識別子が、アクセスポイントとして使用されるＭ２ＭゲートウェイのＣＳＥ識別子とは異なる場合には、アクセスされることになるリソースは、ＡＥのためのアクセスポイントとして使用されるＭ２Ｍゲートウェイ上に格納されていない。
【０１０４】
別の任意選択の様式においては、Ｍ２Ｍゲートウェイが、リソースアクセス要求メッセージ内にあるアクセスされることになるリソースの識別子に基づいて、アクセスされることになるリソースがＭ２Ｍゲートウェイ上に格納されているということを決定した場合には、Ｍ２Ｍゲートウェイは、リソースアクセス要求メッセージに基づいて、対応する処理を直接に実行する。
【０１０５】
さらに、Ｍ２Ｍゲートウェイがリソースアクセス要求メッセージに基づいて、対応する処理を実行する様式は、従来技術に属しており、本発明のこの実施形態においては、詳細は記述されない。ＡＥがアクセスポイント切り替えを完了した後に、Ｍ２ＭゲートウェイのＣＳＥがＡＥのためのアクセスポイントとして使用されている期間においては、ＡＥによって以前にサブスクライブされたサービス（たとえば、天気予報サービス）は、通知メッセージをＡＥへ引き続き送信する。ステップ４０９および４１０は、ＡＥがアクセスポイント切り替えを完了した後に、ＣＳＥ識別子に対応するＭ２ＭゲートウェイがＡＥのためのアクセスポイントとして使用されている期間において、Ｍ２Ｍシステムアーキテクチャー内の別のサービスエンティティーが通知メッセージをＡＥへ送信するプロセスであり、このプロセスは、具体的には下記のステップを含む。
【０１０６】
４０９．  Ｍ２Ｍプラットフォームは、別のデバイスによってＡＥへ送信された通知メッセージを受信する。
【０１０７】
通知メッセージは、ＡＥ−ＩＤを搬送する。別のデバイスは、ＡＥによってサブスクライブされたリソースが配置されているデバイスである。
【０１０８】
たとえば、ＡＥによってサブスクライブされたリソース（たとえば、天気予報リソース）が変わった後に、ＡＥによってサブスクライブされたリソースが配置されているデバイス（天気予報サーバ）は、通知メッセージをＡＥへ送信して、変更後のリソースの最新のステータスを知らせる。
【０１０９】
ＡＥがリソースをサブスクライブしたときに、ＡＥによってサブスクライブされたリソースが配置されているデバイス内に記録されているＡＥのためのレジストラＣＳＥは、Ｍ２ＭプラットフォームのＣＳＥであり、したがって、ＡＥによってサブスクライブされたリソースが配置されているデバイスは、依然として通知メッセージをＭ２Ｍプラットフォームへ送信する。
【０１１０】
例においては、通知メッセージは、下記のとおりであり得る。
ＰＯＳＴ  ／ｍ２ｍ．ｐｒｏｖｉｄｅｒ．ｃｏｍ／Ｓａ３ｅ３ｆ３ａｂ  ＨＴＴＰ／１．１
＜？ｘｍｌ  ｖｅｒｓｉｏｎ＝“１．０”  ｅｎｃｏｄｉｎｇ＝“ＵＴＦ−８”？＞
＜ｃｏｎｔｅｎｔＩｎｓｔａｎｃｅ＞              ／ｃｏｎｔｅｎｔＩｎｓｔａｎｃｅリソースパートが開始する
＜ｃｏｎｔｅｎｔ＞ｃｌｏｕｄｙ＜／ｃｏｎｔｅｎｔ＞                ／コンテンツの中の特定のコンテンツ
…
＜ｃｏｎｔｅｎｔＩｎｓｔａｎｃｅ＞                ／ｃｏｎｔｅｎｔＩｎｓｔａｎｃｅリソースパートが終了する
【０１１１】
特に、ＰＯＳＴは、作成オペレーションを示しており、＜ｃｏｎｔｅｎｔ＞ｃｌｏｕｄｙ＜／ｃｏｎｔｅｎｔ＞は、ＡＥによってサブスクライブされたリソースのコンテンツが「ｃｌｏｕｄｙ」であるということを示している。
【０１１２】
４１０．  ＡＥへ送信された通知メッセージを受信した後に、Ｍ２Ｍプラットフォームは、通知メッセージ内のＡＥ−ＩＤに基づいて、ＡＥの登録リソース内に含まれているＡＥのアクセスポイント情報がＭ２ＭゲートウェイのＣＳＥ識別子であるということを決定する。
【０１１３】
特に、Ｍ２Ｍプラットフォームが、通知メッセージ内のＡＥ−ＩＤに基づいて、ＡＥの登録リソース内に含まれているＡＥのアクセスポイント情報がＭ２ＭゲートウェイのＣＳＥ識別子であるということを決定した後に、Ｍ２Ｍプラットフォームは、通知メッセージをＭ２Ｍゲートウェイへ送信し、それによってＭ２Ｍゲートウェイは、受信された通知メッセージを、通知メッセージ内のＡＥ−ＩＤに基づいてＡＥへ送信する。
【０１１４】
さらに、Ｍ２Ｍプラットフォームは、別のエンティティーによってＡＥへ送信された通知メッセージを受信し得、通知メッセージ内のＡＥ−ＩＤに基づいて、ＡＥのアクセスポイント情報がＭ２ＭゲートウェイのＣＳＥ識別子であるということを決定し、通知メッセージをＭ２Ｍゲートウェイへ送信することが可能であり、それによってＭ２Ｍゲートウェイは、通知メッセージをＡＥへ送信する。したがって、ＡＥは、以前にサブスクライブされたサービスの最新のステータスを入手することが可能である。次いで、別のエンティティーは、ＡＥがアクセスポイント切り替えを実行した後に、依然としてＡＥと通信することが可能である。
【０１１５】
ステップ４０７および４０８と、ステップ４０９および４１０との間に時間順序はないということに留意されたい。ステップ４０７および４０８が最初に実行され得、次いでステップ４０９および４１０が実行される。あるいは、ステップ４０９および４１０が最初に実行され得、次いでステップ４０７および４０８が実行される。これは、本発明のこの実施形態においては限定されない。
【０１１６】
さらに、Ｍ２Ｍゲートウェイが属するローカルエリアネットワークをＡＥが去った後に、ＡＥのアクセスポイント情報が変わり、ＡＥは、ＡＥのためのアクセスポイントを更新するようにＭ２Ｍプラットフォームに要求する。ステップ４１１から４１５は、Ｍ２Ｍゲートウェイが属するローカルエリアネットワークをＡＥが去った後にＡＥのためのアクセスポイントをＭ２Ｍプラットフォームが更新するプロセスであり、このプロセスは、具体的には下記のステップを含む。
【０１１７】
４１１．  Ｍ２Ｍプラットフォームは、ＡＥによって送信されたアクセスポイント更新要求メッセージを受信する。
【０１１８】
本発明のこの実施形態においては、ＡＥのアクセスポイント情報が変わった場合には、ＡＥは、アクセスポイント更新要求メッセージをＭ２Ｍプラットフォームへ送信する。例においては、アクセスポイント更新要求メッセージは、下記のとおりであり得る。 
ＰＵＴ／ｍ２ｍ．ｐｒｏｖｉｄｅｒ．ｃｏｍ／ＣＳＥＢａｓｅ／ＡＥ  ＨＴＴＰ／１．１
＜？ｘｍｌ  ｖｅｒｓｉｏｎ＝“１．０”  ｅｎｃｏｄｉｎｇ＝“ＵＴＦ−８”？＞
…
＜ＡＥ＞
＜ｐｏｉｎｔＯｆＡｃｃｅｓｓ＞
ｈｔｔｐ：／／２１８．２２．１３４．１：８０８０
＜／ｐｏｉｎｔＯｆＡｃｃｅｓｓ＞
＜／ＡＥ＞
【０１１９】
特に、ＰＵＴは、Ｍ２Ｍプラットフォーム上のＡＥのアクセスポイント情報が更新される必要があるということを示しており、ｈｔｔｐ：／／２１８．２２．１３４．１は、ＡＥに対応するＩＰアドレスであり、８０８０は、ポート番号であり、＜／ｐｏｉｎｔＯｆＡｃｃｅｓｓ＞は、アクセスポイント更新要求メッセージがＡＥのアクセスポイント情報を搬送するということを示している。
【０１２０】
特に、ステップ４１１におけるアクセスポイント更新要求メッセージはさらに、ＡＥに対応するＩＰアドレスおよびポート番号を搬送し得る。言い換えれば、アクセスポイント更新要求メッセージは、第１のアクセスポイント更新要求メッセージであり、ＡＥのアクセスポイント情報を、ＩＰアドレスを含むアクセスポイント情報およびポート番号に関する情報と置き換えるためにＭ２Ｍプラットフォームによって使用される。
【０１２１】
さらに、ステップ４１１におけるアクセスポイント更新要求メッセージはさらに、アクセスポイント情報リスト内の特定のロケーションにおいて記録されているＣＳＥ識別子、およびその特定のロケーションにおいて記録されているＣＳＥ識別子を削除するように指示する情報を搬送し得る。言い換えれば、アクセスポイント更新要求メッセージは、第２のアクセスポイント更新要求メッセージである。このアクセスポイント更新要求は、アクセスポイント情報リスト内にあって、かつアクセスポイント更新要求メッセージ内のＣＳＥ識別子を含むアクセスポイント情報を削除するために使用される。第１のアクセスポイント更新要求メッセージは、ＡＥの登録リソース内に含まれているアクセスポイント情報を、ＡＥに対応するＩＰアドレスおよびポート番号と置き換えるためにＭ２Ｍプラットフォームによって使用される。たとえば、ＡＥに対応するＩＰアドレスおよびポート番号は、ｈｔｔｐ：／／ＡＤＮ−ｓｅｒｖｅｒ：８０８０であり得る。第２のアクセスポイント更新要求メッセージは、ＡＥの登録リソース内に含まれているアクセスポイント情報リスト内の特定のロケーションにおいて記録されているＣＳＥ識別子を削除するために使用される。本特許における「第１の」および「第２の」は、２つの異なるアクセスポイント更新要求メッセージを表しており、それらのアクセスポイント更新要求メッセージの順序を表してはいない。
【０１２２】
特定のロケーションは、アクセスポイント情報リスト内の最初のアイテムであり得、最後のアイテムであり得、またはアクセスポイント情報リスト内の任意のアイテムであり得る。
【０１２３】
４１２．  Ｍ２Ｍプラットフォームは、アクセスポイント更新要求メッセージに基づいて、対応する処理を実行する。
【０１２４】
特に、Ｍ２Ｍプラットフォームは、＜ＡＥ＞リソース内のアクセスポイント情報（ＡＥのものであるＩＰアドレスおよびポート番号に関する情報）を更新要求メッセージ内のアクセスポイント情報と置き換える。
【０１２５】
特に、Ｍ２Ｍプラットフォームは、＜ＡＥ＞リソース内のアクセスポイント情報を、ＡＥのものであるＩＰアドレスおよびポート番号と置き換える。
【０１２６】
あるいは、Ｍ２Ｍプラットフォームは、＜ＡＥ＞リソース内に含まれているアクセスポイント情報リスト内の特定のロケーションにおけるアクセスポイント情報を削除する。言い換えれば、削除されるアクセスポイント情報は、アクセスポイント更新要求メッセージ内に含まれているＣＳＥ識別子を含む。
【０１２７】
さらに、ＡＥによって送信されたアクセスポイント更新要求メッセージを受信した後に、Ｍ２Ｍプラットフォームは、＜ＡＥ＞リソース内のアクセスポイント情報を、ＡＥのものであるＩＰアドレスおよびポート番号と置き換え、または＜ＡＥ＞リソース内のアクセスポイント情報リスト内の特定のロケーションにおけるアクセスポイント情報を削除する。したがって、ＡＥが現在のアクセスポイントのカバレッジエリアを去った場合には、Ｍ２Ｍプラットフォームは、ＡＥが、ＡＥに対応する別のアクセスポイントにアクセスすることを可能にすることができ、それによってＡＥは、別のアクセスポイント内に格納されているリソースにアクセスすることが可能である。
【０１２８】
４１３．  Ｍ２Ｍプラットフォームは、削除されたまたは置き換えられたアクセスポイント情報内にあるＭ２ＭゲートウェイのＣＳＥ識別子に対応するＭ２Ｍゲートウェイへリソース削除要求メッセージを送信する。
【０１２９】
削除されたまたは置き換えられたアクセスポイント情報内にあるＭ２ＭゲートウェイのＣＳＥ識別子に対応するＭ２Ｍゲートウェイは、アクセスポイントが更新される前にＡＥのためのアクセスポイントとして使用されているＭ２Ｍゲートウェイである。
【０１３０】
特に、リソース削除要求メッセージは、ＡＥの接続リソースの識別子を搬送し、ＡＥの接続リソースを削除するようにＭ２Ｍゲートウェイに要求するために使用される。
【０１３１】
本発明のこの実施形態においては、Ｍ２Ｍゲートウェイは、ＡＥの接続リソースの識別子に基づいて、Ｍ２Ｍゲートウェイによって作成されるＡＥの接続リソースを削除する。
【０１３２】
４１４．  Ｍ２Ｍプラットフォームは、アクセスポイント更新要求メッセージ内のＣＳＥ識別子に対応するＭ２Ｍゲートウェイによって送信された成功応答メッセージを受信する。
【０１３３】
この成功応答メッセージは、Ｍ２Ｍゲートウェイによって送信される、かつＡＥの接続リソースを削除することについてのものである成功応答メッセージである。加えて、この成功応答メッセージは、ＡＥの接続リソースが削除されているということを表すために使用される。
【０１３４】
４１５．  Ｍ２Ｍプラットフォームは、成功応答メッセージをＡＥへ送信する。
【０１３５】
この成功応答メッセージは、アクセスポイントを成功裏に更新することについての応答メッセージである。さらに、この成功応答メッセージはさらに、ＡＥの接続リソースを搬送し得る。
【０１３６】
さらに、Ｍ２Ｍプラットフォームは、アクセスポイントが更新される前にＡＥのためのアクセスポイントとして使用されていたＭ２Ｍゲートウェイへリソース削除要求メッセージを送信し、それによって、そのＭ２Ｍゲートウェイ上のＡＥの接続リソースが削除され、それにより、Ｍ２Ｍゲートウェイのストレージスペースを節約する。
【０１３７】
図５は、本発明の実施形態による、Ｍ２Ｍゲートウェイを見つけてＭ２Ｍゲートウェイの識別子を入手するための、ＡＥによって使用される方法のフローチャートである。この方法は、下記のステップを含む。
【０１３８】
５０１．  ＡＥは、Ｍ２Ｍゲートウェイが属するローカルエリアネットワークにアクセスし、そのローカルエリアネットワークのローカルエリアネットワーク識別子を決定する。
【０１３９】
たとえば、ローカルエリアネットワークのネットワーク識別子は、ａｒｅａＮｗｋＩｄ＝１２ｉｄｑ９６ｓであり得る。
【０１４０】
Ｍ２Ｍゲートウェイが属するローカルエリアネットワークにアクセスして、そのローカルエリアネットワークのローカルエリアネットワーク識別子を決定するためにＡＥによって使用される様式は、従来技術に属しており、本発明のこの実施形態においては、詳細は記述されないということに留意されたい。
【０１４１】
５０２．  アクセスされたローカルエリアネットワークのローカルエリアネットワーク識別子を決定した後に、ＡＥは、ローカルエリアネットワーク識別子に対応するＭ２Ｍゲートウェイのものである共通サービスエンティティーＣＳＥ識別子をクエリーするための要求メッセージをＭ２Ｍプラットフォームへ送信する。
【０１４２】
ローカルエリアネットワーク識別子に対応するＭ２ＭゲートウェイのものであるＣＳＥ識別子をクエリーするための要求メッセージは、ＡＥによってアクセスされたローカルエリアネットワークのローカルエリアネットワーク識別子を搬送し、ローカルエリアネットワーク識別子に対応するＭ２ＭゲートウェイのものであるＣＳＥ識別子をクエリーするための要求メッセージは、Ｍ２ＭゲートウェイのＣＳＥ識別子を入手するために使用される。
【０１４３】
たとえば、ＡＥによってアクセスされたローカルエリアネットワークのローカルエリアネットワーク識別子は、１２ｉｄｑ９６ｓであり得る。
【０１４４】
ローカルエリアネットワーク識別子に対応するＭ２ＭゲートウェイのものであるＣＳＥ識別子をクエリーするための要求メッセージは、ローカルエリアネットワーク識別子に対応するＭ２ＭゲートウェイのものであるＣＳＥ識別子をクエリーするようにＭ２Ｍプラットフォームに要求するために使用される。
【０１４５】
例においては、ローカルエリアネットワーク識別子に対応するＭ２ＭゲートウェイのものであるＣＳＥ識別子をクエリーするための要求メッセージは、下記のとおりである。
ＧＥＴ／ｍ２ｍ．ｐｒｏｖｉｄｅｒ．ｃｏｍ／ｎｅｔｗｏｒｋＣｈｏｏｓｅ？ａｒｅａＮｗｋＩｄ＝１２ｉｄｑ９６ｓＨＴＴＰ／１．１
【０１４６】
言い換えれば、１２ｉｄｑ９６ｓであるローカルエリアネットワーク識別子を有するローカルエリアネットワーク内のＭ２ＭゲートウェイのＣＳＥ識別子が入手される。
【０１４７】
５０３．  ローカルエリアネットワーク識別子に対応するＭ２ＭゲートウェイのものであるＣＳＥ識別子をクエリーするための要求メッセージを受信した後に、Ｍ２Ｍプラットフォームは、ローカルエリアネットワーク識別子に対応するＭ２ＭゲートウェイのものであるＣＳＥ識別子をクエリーするための要求メッセージ内のローカルエリアネットワーク識別子に基づいて、ローカルエリアネットワーク識別子に対応するＭ２ＭゲートウェイのものであるＣＳＥ識別子を入手する。
【０１４８】
特に、Ｍ２Ｍプラットフォームは、ローカルエリアネットワーク識別子と、ローカルエリアネットワーク内のＭ２ＭゲートウェイのＣＳＥ識別子との間における対応を格納する。例においては、図３Ｃにおいて示されているように、ＣＳＥＢａｓｅリソースが、それぞれのＭ２Ｍゲートウェイに対応するノードリソース（ｎｏｄｅ  ｒｅｓｏｕｒｃｅ）と、それぞれのノードリソース（ｎｏｄｅ  ｒｅｓｏｕｒｃｅ）内にあって、かつノードに対応するＭ２Ｍゲートウェイが属するローカルエリアネットワークのものであるリソースとを含む。ａｒｅａＮｗｋＩｎｆｏリソース内に含まれているａｒｅａＮｗｋＴｙｐｅ属性およびａｒｅａＮｗｋＩｄ属性が、ローカルエリアネットワークタイプおよびローカルエリアネットワーク識別子をそれぞれ格納する。
【０１４９】
したがって、Ｍ２Ｍプラットフォームは、ローカルエリアネットワーク識別子に対応するＭ２ＭゲートウェイのものであるＣＳＥ識別子をクエリーするための要求メッセージ内のローカルエリアネットワーク識別子に基づいて、ローカルエリアネットワーク識別子に対応するＭ２ＭゲートウェイのものであるＣＳＥ識別子をクエリーし得る。具体的なクエリー方法が、従来技術において記述されており、本発明のこの実施形態においては、詳細がここで記述されることはない。
【０１５０】
５０４．  Ｍ２Ｍプラットフォームは、Ｍ２ＭゲートウェイのＣＳＥ識別子を搬送する成功メッセージをＡＥへ送信する。
【０１５１】
さらに、ＡＥは、Ｍ２Ｍゲートウェイが属するネットワークのローカルエリアネットワーク識別子を決定し、ローカルエリアネットワーク識別子を搬送するクエリー要求をＭ２Ｍプラットフォームへ送信し、それによってＭ２Ｍプラットフォームは、ローカルエリアネットワーク識別子に基づいて、ＡＥがアクセスする必要があるＭ２ＭゲートウェイのＣＳＥ識別子を決定し、それにより、切り替え後に入手されたアクセスポイントが、ＣＳＥ識別子に対応するＭ２Ｍゲートウェイであるということを決定することが可能である。次いで、ＡＥは、Ｍ２Ｍゲートウェイにアクセスし、Ｍ２Ｍゲートウェイ上に格納されているリソースにアクセスし得る。
【０１５２】
図６は、本発明の実施形態による、Ｍ２Ｍゲートウェイを見つけてＭ２Ｍゲートウェイの識別子を入手するための、ＡＥによって使用される別の方法のフローチャートである。この方法においては、ＡＥが、Ｍ２Ｍゲートウェイが属するローカルエリアネットワークのカバレッジエリアへ移動し、ＡＥによってサポートされるローカルエリアネットワークタイプに基づいて、アクセスされたＭ２ＭゲートウェイのＣＳＥ識別子を決定する手順は、下記のステップを含む。
【０１５３】
６０１．  ＡＥは、ＡＥに隣接したＭ２Ｍゲートウェイに関する入手要求をＭ２Ｍプラットフォームへ送信する。
【０１５４】
ＡＥに隣接したＭ２Ｍゲートウェイに関する入手要求は、ＡＥのロケーション情報、およびＡＥによってサポートされるローカルエリアネットワークタイプに対応するローカルエリアネットワークによってカバーされるエリアに関する情報を搬送する。
【０１５５】
特に、ＡＥに隣接したＭ２Ｍゲートウェイは、中心がＡＥのロケーションであり、かつ半径がＡＥによってサポートされるローカルエリアネットワークタイプに対応するローカルエリアネットワークによってカバーされるエリアに関する情報であるエリア内のＭ２Ｍゲートウェイである。
【０１５６】
特に、ＡＥは、ＡＥが配置されているロケーション、およびＡＥによってサポートされるローカルエリアネットワークタイプを最初に決定する。次いで、ローカルエリアネットワークによってカバーされるエリアに関する情報が、ＡＥによってサポートされるローカルエリアネットワークタイプに基づいて決定される。たとえば、Ｂｌｕｅｔｏｏｔｈ（登録商標）を通じてカバーされるエリアの半径は３０ｍであり、ＷｉＦｉを通じてカバーされるエリアの半径は１００ｍである。
【０１５７】
本発明のこの実施形態においては、ＡＥが、Ｍ２Ｍゲートウェイが属するローカルエリアネットワークのカバレッジエリアへ移動したが、ローカルエリアネットワークのローカルエリアネットワーク識別子を入手することができない場合には、ＡＥは、ＡＥに隣接したＭ２Ｍゲートウェイに関する入手要求をＭ２Ｍプラットフォームへ送信し得る。
【０１５８】
ＡＥに隣接したＭ２Ｍゲートウェイに関する入手要求は、ＡＥに隣接したＭ２ＭゲートウェイのＣＳＥ識別子を入手するためにＡＥのロケーション情報を搬送する。
【０１５９】
たとえば、ＡＥによってサポートされるローカルエリアネットワークタイプは、ａｒｅａＮｗｋＴｙｐｅ＝ＷｉＦｉであり得る。
【０１６０】
例においては、ＡＥは、ＡＥのＧＰＳモジュールまたはロケーションサーバを使用することによって、ＡＥのロケーション情報、たとえば、ＡＥに対応する経度座標および緯度座標（Ｘ，Ｙ）を入手し得る。
【０１６１】
６０２．  ＡＥによって送信される、ＡＥに隣接したＭ２Ｍゲートウェイに関する入手要求を受信した後に、Ｍ２Ｍプラットフォームは、ＡＥのロケーション情報、およびローカルエリアネットワークによってカバーされるエリアに関する情報に基づいて、ＡＥに隣接したＭ２ＭゲートウェイのＣＳＥ識別子をＡＥへ返信する。
【０１６２】
特に、Ｍ２Ｍプラットフォームは、ＡＥのロケーション情報に基づいて、ＡＥに隣接したＭ２Ｍゲートウェイを決定する。
【０１６３】
例においては、ＡＥは、ＡＥに隣接したＭ２Ｍゲートウェイに関する入手要求を、ＡＥに隣接したそのゲートウェイのＣＳＥ識別子を入手するためにＭ２Ｍプラットフォームへ送信し、ＡＥに隣接したＭ２Ｍゲートウェイに関する入手要求は、下記のとおりであり得る。
ＧＥＴ  ／ｍ２ｍ．ｐｒｏｖｉｄｅｒ．ｃｏｍ／ＣＳＥＢａｓｅ？Ｎ＝３０＆ｗ＝１２５＆ｒ＝３０  ＨＴＴＰ／１．１
【０１６４】
／ｍ２ｍ．ｐｒｏｖｉｄｅｒ．ｃｏｍ／ＣＳＥＢａｓｅは、Ｍ２Ｍプラットフォーム上に格納されているＭ２ＭゲートウェイリソースのＩＤである。Ｎ＝３０＆ｗ＝１２５は、ＡＥのロケーション情報であり、具体的には北緯３０度および西経１２５度である。ｒ＝３０を伴うエリアは、ＡＥである中心を有する、かつ３０Ｍである半径を有するエリアである。
【０１６５】
６０３．  Ｍ２Ｍプラットフォームによって返信される、ＡＥに隣接したＭ２ＭゲートウェイのＣＳＥ識別子をＡＥが受信した後に、ＡＥは、ＡＥに隣接したＭ２Ｍゲートウェイ内にあって、かつＡＥによってサポートされるローカルエリアネットワークタイプをサポートするＭ２Ｍゲートウェイを決定する。
【０１６６】
特に、ＡＥに隣接したＭ２Ｍゲートウェイ内にあって、かつＡＥによってサポートされるローカルエリアネットワークタイプをサポートするＭ２ＭゲートウェイをＡＥが決定する手順は、具体的にはステップ６０３１から６０３４を含み得る。
【０１６７】
６０３１．  ＡＥは、ＣＳＥ識別子に対応するＭ２Ｍゲートウェイが属するローカルエリアネットワークのネットワークタイプに関するクエリー要求をＭ２Ｍプラットフォームへ送信して、ＣＳＥ識別子によって示されているＣＳＥが属するＭ２Ｍゲートウェイが属するローカルエリアネットワークのネットワークタイプをクエリーする。
【０１６８】
例においては、ＣＳＥ識別子に対応するＭ２Ｍゲートウェイが属するローカルエリアネットワークのネットワークタイプに関するクエリー要求は、下記のとおりであり得る。
ＧＥＴ  ｈｔｔｐ：／／ｍ２ｍ．ｓｅｒｖｉｃｅｐｒｏｖｉｄｅｒ．ｃｏｍ／ＣＳＥＢａｓｅ？ｒｅｓｏｕｒｃｅＴｙｐｅ＝Ｎｏｄｅ＆ｈｏｓｔｅｄＣＳＥＩＤ＝ＣＳＥ＿ＩＤ
ＨＴＴＰ／１．１
【０１６９】
パラメータｈｔｔｐ：／／ｍ２ｍ．ｓｅｒｖｉｃｅｐｒｏｖｉｄｅｒ．ｃｏｍ／ＣＳＥＢａｓｅは、ＡＥによってクエリーされる必要があるリソースの識別子を示している。パラメータｒｅｓｏｕｒｃｅＴｙｐｅ＝Ｎｏｄｅは、ＣＳＥＢａｓｅリソース内のノードタイプのリソースがクエリーされるということを示している。ｈｏｓｔｅｄＣＳＥＩＤ＝ＣＳＥ＿ＩＤは、クエリーされるノードリソース内に含まれているＣＳＥ＿ＩＤがＣＳＥ＿ＩＤと同じであるということを示している。
【０１７０】
ノードリソースは、ノードに関連した定義されているリソースであるということに留意されたい。１つのノードは、１つのＭ２Ｍノードに相当し、プラットフォームノード（ＩＮ）またはゲートウェイノード（ＭＮ）であり得る。１つのノードは、１つのＣＳＥを含む。たとえば、ＩＮはＩＮ−ＣＳＥを含み、ＭＮはＭＮ−ＣＳＥを含む。ノードリソースは、ｈｏｓｔｅｄＣＳＥＩＤ属性を有し、ｈｏｓｔｅｄＣＳＥＩＤ属性の値は、ノードに対応するＣＳＥ＿ＩＤである。それぞれのノードリソースは、少なくともＡｒｅａＮｗｋＩｎｆｏリソースに対応する。それぞれのＡｒｅａＮｗｋＩｎｆｏリソースは、属性ＡｒｅａＮｗｋＴｙｐｅおよび属性ＡｒｅａＮｗｋＩｄを含み、属性ＡｒｅａＮｗｋＴｙｐｅの値は、ローカルエリアネットワークタイプである。ノードが複数のローカルエリアネットワークに属する場合には、そのノードに対応するノードリソースは、複数のＡｒｅａＮｗｋＩｎｆｏリソースに対応している。
【０１７１】
６０３２．  Ｍ２Ｍプラットフォームは、ＣＳＥ識別子に対応するＭ２Ｍゲートウェイが属するローカルエリアネットワークのネットワークタイプに関するクエリー要求内に含めて搬送されているＣＳＥ識別子に対応するノードリソースの識別子をＡＥへ返信する。
【０１７２】
６０３３．  ＡＥは、Ｍ２Ｍゲートウェイが属するネットワークのタイプに関する決定要求をＭ２Ｍプラットフォームへ送信する。
【０１７３】
Ｍ２Ｍゲートウェイが属するネットワークのタイプに関する決定要求は、Ｍ２ＭゲートウェイのＣＳＥ識別子が属するノードリソースの識別子、およびＡＥによってサポートされるローカルエリアネットワークタイプを搬送する。
【０１７４】
例においては、Ｍ２Ｍゲートウェイが属するネットワークのタイプに関する決定要求は、ＧＥＴ  ｈｔｔｐ：／／ｍ２ｍ．ｓｅｒｖｉｃｅｐｒｏｖｉｄｅｒ．ｃｏｍ／ＣＳＥＢａｓｅ／ｎｏｄｅ？ａｒｅａＮｗｋＴｙｐｅ＝ｗｉｆｉであり得る。
【０１７５】
パラメータｈｔｔｐ：／／ｍ２ｍ．ｓｅｒｖｉｃｅｐｒｏｖｉｄｅｒ．ｃｏｍ／ＣＳＥＢａｓｅ／ｎｏｄｅは、Ｍ２ＭゲートウェイのＣＳＥ識別子が属するノードリソースの識別子である。パラメータａｒｅａＮｗｋＴｙｐｅ＝ｗｉｆｉは、ＡＥによってサポートされるローカルエリアネットワークタイプである。ネットワークのタイプに関する決定要求は、Ｍ２Ｍゲートウェイが属するローカルエリアネットワークのタイプが、ＡＥによってサポートされるローカルエリアネットワークタイプと同じであるかどうかを決定するために使用される。
【０１７６】
６０３４．  Ｍ２Ｍプラットフォームは、Ｍ２Ｍゲートウェイが属するローカルエリアネットワークのタイプが、ＡＥによってサポートされるローカルエリアネットワークタイプと同じであるかどうかを示す応答をＡＥへ返信する。
【０１７７】
特に、Ｍ２Ｍゲートウェイが属するいずれかのローカルエリアネットワークのネットワークタイプが、ＡＥによってサポートされるローカルエリアネットワークタイプと同じである場合には、「ＯＫ」という成功応答が返信される。Ｍ２Ｍゲートウェイが属するすべてのローカルエリアネットワークのネットワークタイプが、ＡＥによってサポートされるローカルエリアネットワーク識別子とは異なる場合には、「サポートされていない」という応答が返信される。
【０１７８】
さらに、「サポートされていない」という応答をステップ６０３４においてＡＥが受信した場合には、ＡＥはさらに、ＡＥに隣接したＭ２Ｍゲートウェイ内の別のゲートウェイが属するローカルエリアネットワークのタイプを決定する必要がある。ステップ６０３１から６０３４は、ＡＥによってサポートされるローカルエリアネットワークタイプと同じであるタイプを有するローカルエリアネットワークに属するＭ２Ｍゲートウェイが決定されるまで、すなわち、Ｍ２Ｍゲートウェイに対応するＣＳＥ識別子をＡＥが最終的に決定するまで、繰り返し実行される。
【０１７９】
本発明のこの実施形態においては、ステップ６０３１から６０３４は、ステップ６０３の詳細な任意選択の様式である。
【０１８０】
別の任意選択の様式においては、ＡＥに隣接したＭ２Ｍゲートウェイ内にあって、かつＡＥによってサポートされるローカルエリアネットワークタイプをサポートするＭ２ＭゲートウェイをＡＥが決定する手順は、代替として下記のとおりであり得る。６０３１’ ．  ＡＥは、ＡＥに隣接したＭ２Ｍゲートウェイ内にあって、かつＡＥによってサポートされるローカルエリアネットワークタイプをサポートするＭ２ＭゲートウェイのＣＳＥ識別子をクエリーするために、ＡＥによってサポートされるローカルエリアネットワークタイプと同じであるタイプを有するローカルエリアネットワークに属するＭ２ＭゲートウェイのＣＳＥ識別子をクエリーするための要求をＭ２Ｍプラットフォームへ送信する。このクエリー要求は、ＡＥに隣接したＭ２ＭゲートウェイのＣＳＥ識別子を搬送する。
【０１８１】
例においては、ＡＥによってサポートされるローカルエリアネットワークタイプと同じであるタイプを有するローカルエリアネットワークに属するＭ２ＭゲートウェイのＣＳＥ識別子をクエリーするための要求は、下記のとおりであり得る。
ＧＥＴ  ｈｔｔｐ：／／ｍ２ｍ．ｓｅｒｖｉｃｅｐｒｏｖｉｄｅｒ．ｃｏｍ／ＣＳＥＢａｓｅ？ａｒｅａＮｗｋＴｙｐｅ＝ｗｉｆｉ＆ｈｏｓｔｅｄＣＳＥＩＤ＝ＣＳＥ＿ＩＤ１＃ＣＳＥ＿ＩＤ２＃ＣＳＥ＿ＩＤ３
【０１８２】
パラメータ／／ｍ２ｍ．ｓｅｒｖｉｃｅｐｒｏｖｉｄｅｒ．ｃｏｍ／ＣＳＥＢａｓｅは、図３ＣにおけるそれぞれのＣＳＥ識別子に対応しているローカルエリアネットワークタイプおよびローカルエリアネットワーク識別子を記録するＣＳＥＢａｓｅリソースの識別子であり、リソースをクエリーするようにＭ２Ｍプラットフォームに指示するために使用される。パラメータａｒｅａＮｗｋＴｙｐｅ＝ｗｉｆｉは、クエリーされるローカルエリアネットワークタイプがＷｉＦｉであるということを示しており、パラメータｈｏｓｔｅｄＣＳＥＩＤ＝ＣＳＥ＿ＩＤ１＃ＣＳＥ＿ＩＤ２＃ＣＳＥ＿ＩＤ３は、ＡＥに隣接したＭ２ＭゲートウェイのＣＳＥ識別子を示している。
【０１８３】
６０３２’．  ＡＥによってサポートされるローカルエリアネットワークタイプをサポートするＭ２ＭゲートウェイのＣＳＥ識別子をクエリーするためのＡＥによって送信された要求を受信した後に、Ｍ２Ｍプラットフォームは、その要求内に含めて搬送されているＣＳＥ＿ＩＤ１＃ＣＳＥ＿ＩＤ２＃ＣＳＥ＿ＩＤ３に対応するＭ２Ｍゲートウェイによってそれぞれサポートされているローカルエリアネットワークタイプを、／／ｍ２ｍ．ｓｅｒｖｉｃｅｐｒｏｖｉｄｅｒ．ｃｏｍ／ＣＳＥＢａｓｅによって示されているリソースにおいて決定し、ＡＥによってサポートされるローカルエリアネットワークタイプと同じであるタイプを有するローカルエリアネットワークに属するＭ２ＭゲートウェイのＣＳＥ識別子をＡＥへ返信する。
【０１８４】
さらに、ステップ６０３１または６０３１’において要求を受信した後に、Ｍ２Ｍプラットフォームは、Ｍ２Ｍゲートウェイが属するローカルエリアネットワークのタイプを、ＡＥの登録リソース内にあるＡＥのアクセス情報内に記録する。
【０１８５】
ステップ６０３１’および６０３２’は、ステップ６０３の別の詳細な任意選択の様式である。
【０１８６】
さらに、ＡＥは、ＡＥのロケーション情報、およびＡＥによってサポートされるローカルエリアネットワークタイプをＭ２Ｍプラットフォームへ送信し、それによってＭ２Ｍプラットフォームは、前述の情報に基づいて、ＡＥによってサポートされるローカルエリアネットワークタイプに対応するＭ２Ｍゲートウェイを決定して、ＡＥによってアクセスされることが可能であるＭ２Ｍゲートウェイを決定することが可能である。次いで、ＡＥは、Ｍ２Ｍゲートウェイにアクセスし、Ｍ２Ｍゲートウェイ上に格納されているリソースにアクセスし得る。
【０１８７】
図７において示されているように、本発明の実施形態はさらに、Ｍ２Ｍプラットフォームの装置の概略構造図を提供する。装置７００は、受信ユニット７０１、送信ユニット７０２、入手ユニット７０３、記録ユニット７０４、および決定ユニット７０５を含む。
【０１８８】
受信ユニット７０１は、ＡＥによって送信されたアクセスポイント切り替え要求メッセージを受信するように構成されており、アクセスポイント切り替え要求メッセージは、Ｍ２Ｍゲートウェイの共通サービスエンティティーＣＳＥ識別子を搬送する。
【０１８９】
送信ユニット７０２は、リソース作成要求メッセージをＭ２Ｍゲートウェイへ送信するように構成されており、リソース作成要求メッセージは、ＡＥの接続リソースを作成するようにＭ２Ｍゲートウェイに要求するために使用され、リソース作成要求メッセージは、ＡＥ−ＩＤを搬送する。
【０１９０】
受信ユニット７０１は、Ｍ２Ｍゲートウェイによって送信される、リソース作成が成功していることを示す応答メッセージを受信するようにさらに構成されており、リソース作成が成功していることを示す応答メッセージは、Ｍ２ＭゲートウェイによってＡＥに割り当てられたアクセス情報を搬送する。
【０１９１】
送信ユニット７０２は、アクセスポイント切り替え応答メッセージをＡＥへ送信するようにさらに構成されており、アクセスポイント切り替え応答メッセージは、Ｍ２ＭゲートウェイによってＡＥに割り当てられたアクセス情報を搬送する。
【０１９２】
さらに、受信ユニット７０１は、図４Ａから図６においてＭ２Ｍプラットフォームによって実行されるステップ４０９、４１１、４１４、６０２などを実行するように構成されている。送信ユニット７０２は、図４Ａから図６においてＭ２Ｍプラットフォームによって実行されるステップ４０４、４０６、４０７、４１３、４１５、および５０４を実行するように構成されている。本発明のこの実施形態においては、詳細がここで再び記述されることはない。
【０１９３】
さらに、記録ユニット７０４は、ＡＥのアクセスポイント情報内に含まれている情報をＭ２ＭゲートウェイのＣＳＥ識別子と置き換え、Ｍ２ＭゲートウェイによってＡＥに割り当てられたアクセス情報をＡＥのアクセスポイント情報内に記録するように構成されており、または一つのアクセスポイント情報をＡＥのアクセスポイント情報リスト内の特定のロケーションにおいて付加し、Ｍ２ＭゲートウェイによってＡＥに割り当てられたアクセス情報を、特定のロケーションにおいて付加されたアクセスポイント情報内に記録するように構成されている。さらに、記録ユニット７０４は、Ｍ２ＭゲートウェイによってＡＥに割り当てられたアクセス情報をＡＥのアクセスポイント情報内に記録するようにさらに構成されている。
【０１９４】
加えて、記録ユニット７０４は、その一つのアクセスポイント情報をＡＥのアクセスポイント情報リスト内の特定のロケーションにおいて付加し、Ｍ２ＭゲートウェイによってＡＥに割り当てられたアクセス情報を、特定のロケーションにおいて付加されたアクセスポイント情報内に記録するように構成されている。
【０１９５】
入手ユニット７０３は、図５におけるステップ５０３を実行するように構成されている。返信ユニット７０７は、図６におけるステップ６０２、６０３２、および６０３４を実行するように構成されている。
【０１９６】
加えて、記録ユニット７０８は、アクセスポイント更新要求メッセージ内のＣＳＥ識別子に基づいて、アクセスポイント情報リスト内にあって、かつアクセスポイント更新要求メッセージ内のＣＳＥ識別子を含むアクセスポイント情報を削除するようにさらに構成されている。
【０１９７】
決定ユニット７０５は、ＡＥの登録リソース内に含まれているＡＥのアクセスポイント情報がＭ２ＭゲートウェイのＣＳＥ識別子であることをＡＥ−ＩＤに基づいて決定するように構成されている。さらに、決定ユニット７０５は、図４Ｂおよび図６におけるステップ４１０および６０３２’を実行するように構成されている。
【０１９８】
加えて、図７における装置は、前述の方法手順においてＭ２Ｍプラットフォームによって実行されるいずれかの手順を実行し、図３ＡにおけるＡＥの登録リソースおよび図３ＣにおけるＢａｓｅリソースを格納するように構成され得る。
【０１９９】
図８において示されているように、本発明の実施形態はさらに、ＡＥの装置の概略構造図を提供する。装置８００は、送信ユニット８０１および受信ユニット８０２を含む。
【０２００】
送信ユニット８０１は、アクセスポイント切り替え要求メッセージをＭ２Ｍプラットフォームへ送信するように構成されており、アクセスポイント切り替え要求メッセージは、Ｍ２ＭゲートウェイのＣＳＥ識別子を搬送する。
【０２０１】
受信ユニット８０２は、Ｍ２Ｍプラットフォームによって送信されたアクセスポイント切り替え応答メッセージを受信するように構成されており、アクセスポイント切り替え応答メッセージは、Ｍ２ＭゲートウェイによってＡＥに割り当てられたアクセス情報を搬送する。
【０２０２】
送信ユニット８０１は、Ｍ２ＭゲートウェイによってＡＥに割り当てられたアクセス情報に基づいてリソースアクセス要求をＭ２Ｍゲートウェイへ送信するようにさらに構成されている。
【０２０３】
さらに、送信ユニット８０１は、図４Ａから図６におけるステップ４０３、４０７、５０２、６０１、６０３１、６０３３、６０３１’などを実行するように構成されている。さらに、図８において示されているように、装置８００は、アクセスユニット８０３および決定ユニット８０４をさらに含む。
【０２０４】
アクセスユニット８０３は、Ｍ２Ｍゲートウェイが属するローカルエリアネットワークにアクセスするように構成されている。
【０２０５】
決定ユニット８０４は、ローカルエリアネットワークのローカルエリアネットワーク識別子を決定するように構成されている。
【０２０６】
さらに、アクセスユニット８０３は、図５におけるステップ５０１を実行するように構成されており、決定ユニット８０４は、図６におけるステップ６０３を実行するように構成されている。
【０２０７】
加えて、図８における装置は、前述の方法手順においてＡＥによって実行されるいずれかの手順を実行するように構成され得る。
【０２０８】
図９において示されているように、本発明の実施形態はさらに、Ｍ２Ｍゲートウェイの装置の概略構造図を提供する。装置９００は、受信ユニット９０１、作成ユニット９０２、送信ユニット９０３、および処理ユニット９０４を含む。
【０２０９】
受信ユニット９０１は、Ｍ２Ｍプラットフォームによって送信されたリソース作成要求メッセージを受信するように構成されており、リソース作成要求メッセージは、ＡＥの接続リソースを作成するようにＭ２Ｍゲートウェイに要求するために使用され、リソース作成要求メッセージは、ＡＥ−ＩＤを搬送する。
【０２１０】
作成ユニット９０２は、リソース作成要求メッセージに基づいてＡＥの接続リソースを作成するように構成されており、ＡＥの接続リソースは、ＡＥのアクセス情報を含む。
【０２１１】
送信ユニット９０３は、リソース作成が成功していることを示す応答メッセージをＭ２Ｍプラットフォームへ送信するように構成されており、リソース作成が成功していることを示す応答メッセージは、Ｍ２ＭゲートウェイによってＡＥに割り当てられたアクセス情報を搬送する。
【０２１２】
受信ユニット９０１は、Ｍ２ＭゲートウェイによってＡＥに割り当てられたアクセス情報に基づいてＡＥによって送信されたリソースアクセス要求メッセージを受信するようにさらに構成されている。
【０２１３】
処理ユニット９０４は、リソースアクセス要求メッセージを処理するように構成されている。
【０２１４】
さらに、送信ユニット９０３は、図４Ａにおいて示されているステップ４０５を実行するように構成されている。処理ユニット９０４は、図４Ａにおいて示されているステップ４０８を実行するように構成されている。さらに、図９において示されているように、装置９００は、割り当てユニット９０５および入手ユニット９０６をさらに含む。割り当てユニット９０５は、Ｍ２Ｍゲートウェイが属するローカルエリアネットワークのローカルエリアネットワーク識別子に基づいてそのネットワーク内のＡＥの接続アドレスを割り当てるように構成されており、またはＭ２Ｍゲートウェイが属するネットワークのローカルエリアネットワークのネットワークタイプ、およびＡＥのロケーション情報に基づいてローカルエリアネットワーク内のＡＥの接続アドレスを割り当てるようにさらに構成されている。入手ユニット９０６は、ＡＥのロケーション情報を入手するように構成されている。
【０２１５】
さらに、図９における装置は、前述の方法手順においてＭ２Ｍゲートウェイによって実行されるいずれかの手順を実行し、図３ＢにおけるＡＥの接続リソースを格納するように構成され得る。
【０２１６】
さらに、図７、図８、および図９における装置は、機能ユニットの形態で提示されている。本明細書における「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１つもしくは複数のソフトウェアもしくはファームウェアプログラムを実行するプロセッサおよびメモリ、統合された論理回路、ならびに／または前述の機能を提供することが可能である別のコンポーネントであり得る。シンプルな実施形態においては、図７、図８、および図９における装置が、図２において示されている形態を使用し得るということを当業者なら知り得る。それぞれのユニットは、図２におけるプロセッサおよびメモリを使用することによって実施され得る。
【０２１７】
本発明の実施形態はさらに、コンピュータストレージメディアを提供する。このコンピュータストレージメディアは、図７において示されているＭ２Ｍプラットフォーム、図８において示されているＡＥ、または図９において示されているＭ２Ｍゲートウェイによって使用されるコンピュータソフトウェア命令を格納するように構成されており、前述の方法実施形態を実行するために設計されているプログラムを含む。ＡＥは、格納されている命令を実行することによってアクセスポイント切り替えを実施することが可能である。
【０２１８】
本発明の実施形態はさらに、別のコンピュータストレージメディアを提供する。このコンピュータストレージメディアは、Ｍ２Ｍプラットフォーム、ＡＥ、およびＭ２Ｍゲートウェイによって使用されるコンピュータソフトウェア命令を格納するように構成されており、前述の方法実施形態を実行するために設計されているプログラムを含む。ＡＥは、格納されている命令を実行することによってアクセスポイント切り替えを実施することが可能である。本出願における主題のうちのすべてまたはいくつかは、ハードウェアおよび／またはファームウェアに関連したソフトウェアにおいて実施され得るということを当技術分野における標準的な技術者なら理解するはずである。たとえば、本明細書において記述されている主題は、１つまたは複数のプロセッサによって実行されるソフトウェアにおいて実施され得る。例示的な実施態様においては、本明細書において記述されている主題は、コンピュータ実行可能命令を格納する非一時的コンピュータ可読メディアを使用することによって実施され得る。コンピュータプロセッサがコンピュータ実行可能命令を実行したときに、その命令は、ステップを実行するようにコンピュータを制御する。本明細書において記述されている主題に適用可能な例示的なコンピュータ可読メディアは、磁気ディスクストレージデバイス、チップストレージデバイス、プログラマブル論理デバイス、または特定用途向け集積回路などの非一時的コンピュータ可読メディアを含む。加えて、本明細書において記述されている主題を実施するコンピュータ可読メディアは、単一のデバイスもしくはコンピューティングプラットフォーム上に配置され得、または複数のデバイスもしくはコンピューティングプラットフォーム上に分散され得る。
【０２１９】
最後に、前述の実施形態は、本発明の技術的なソリューションについて記述することを意図されているにすぎず、本発明を限定することを意図されているものではないということに留意されたい。前述の実施形態を参照しながら本発明が詳細に記述されているが、当技術分野における標準的な技術者なら、彼らが、それでもなお、本発明の実施形態の技術的なソリューションの範囲から逸脱することなく、前述の実施形態において記述されている技術的なソリューションに対する修正形態を作成し得る、またはそれらのいくつかの技術的な特徴に対する均等な代替形態を作成し得るということを理解するはずである。
【図１Ａ】
2019521591.tif 000003
【図１Ｂ】
2019521591.tif 000004
【図２】
2019521591.tif 000005
【図３Ａ】
2019521591.tif 000006
【図３Ｂ】
2019521591.tif 000007
【図３Ｃ】
2019521591.tif 000008
【図４Ａ】
2019521591.tif 000009
【図４Ｂ】
2019521591.tif 000010
【図５】
2019521591.tif 000011
【図６】
2019521591.tif 000012
【図７】
2019521591.tif 000013
【図８】
2019521591.tif 000014
【図９】
2019521591.tif 000015
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
アクセスポイント切り替え方法であって、前記方法は、マシンツーマシンＭ２Ｍ通信システムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント切り替えを実行する前の前記ＡＥのためのアクセスポイントであり、前記Ｍ２Ｍゲートウェイは、前記ＡＥがアクセスポイント切り替えを実行した後の前記ＡＥのためのアクセスポイントであり、前記Ｍ２Ｍプラットフォームは、前記Ｍ２Ｍゲートウェイのためのアクセスポイントであり、前記方法は、
前記ＡＥによって送信されたアクセスポイント切り替え要求メッセージを前記Ｍ２Ｍプラットフォームによって受信するステップであって、前記アクセスポイント切り替え要求メッセージは、前記Ｍ２Ｍゲートウェイの共通サービスエンティティーＣＳＥ識別子を搬送する、ステップと、
前記Ｍ２Ｍプラットフォームによってリソース作成要求メッセージを前記Ｍ２Ｍゲートウェイへ送信するステップであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、ステップと、
前記Ｍ２Ｍゲートウェイによって送信される、リソース作成が成功していることを示す応答メッセージを前記Ｍ２Ｍプラットフォームによって受信するステップであって、リソース作成が成功していることを示す前記応答メッセージは、前記Ｍ２Ｍゲートウェイによって前記ＡＥに割り当てられたアクセス情報を搬送する、ステップと、
前記Ｍ２Ｍプラットフォームによってアクセスポイント切り替え応答メッセージを前記ＡＥへ送信するステップであって、前記アクセスポイント切り替え応答メッセージは、前記Ｍ２Ｍゲートウェイによって前記ＡＥに割り当てられた前記アクセス情報を搬送する、ステップと
を含む方法。
【請求項２】
前記ＡＥによって送信されたアクセスポイント切り替え要求メッセージを前記Ｍ２Ｍプラットフォームによって受信する前記ステップの後に、前記方法は、
前記Ｍ２Ｍプラットフォームによって、前記ＡＥのアクセスポイント情報内に含まれている情報を前記Ｍ２Ｍゲートウェイの前記ＣＳＥ識別子と置き換え、前記Ｍ２Ｍゲートウェイによって前記ＡＥに割り当てられた前記アクセス情報を前記ＡＥの前記アクセスポイント情報内に記録するステップ、または
前記Ｍ２Ｍプラットフォームによって、一つのアクセスポイント情報を前記ＡＥのアクセスポイント情報リスト内の特定のロケーションにおいて付加し、前記Ｍ２Ｍゲートウェイによって前記ＡＥに割り当てられた前記アクセス情報を、前記特定のロケーションにおいて付加された前記アクセスポイント情報内に記録するステップ
をさらに含む請求項１に記載のアクセスポイント切り替え方法。
【請求項３】
前記ＡＥによって送信されたアクセスポイント切り替え要求メッセージを前記Ｍ２Ｍプラットフォームによって受信する前記ステップの前に、
ローカルエリアネットワーク識別子に対応する前記Ｍ２Ｍゲートウェイのものである前記ＣＳＥ識別子をクエリーするための前記ＡＥによって送信された要求メッセージを前記Ｍ２Ｍプラットフォームによって受信するステップであって、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送する、ステップと、
前記Ｍ２Ｍプラットフォームによって前記ローカルエリアネットワーク識別子に基づいて、前記ローカルエリアネットワーク識別子に対応する前記Ｍ２Ｍゲートウェイのものである前記ＣＳＥ識別子を入手するステップと、
前記Ｍ２Ｍゲートウェイの前記ＣＳＥ識別子を搬送する成功メッセージを前記Ｍ２Ｍプラットフォームによって前記ＡＥへ送信するステップと、
前記Ｍ２Ｍプラットフォームによって、前記Ｍ２Ｍゲートウェイが属するネットワークの前記ローカルエリアネットワーク識別子を、前記Ｍ２Ｍゲートウェイの前記ＣＳＥ識別子を含むアクセスポイント情報内に記録するステップと
をさらに含む請求項１および請求項２のいずれかに記載のアクセスポイント切り替え方法。
【請求項４】
前記ＡＥによって送信されたアクセスポイント切り替え要求メッセージを前記Ｍ２Ｍプラットフォームによって受信する前記ステップの前に、
前記ＡＥに隣接したＭ２Ｍゲートウェイに関する前記ＡＥによって送信された入手要求を前記Ｍ２Ｍプラットフォームによって受信するステップであって、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送する、ステップと、
前記Ｍ２Ｍプラットフォームによって、前記ＡＥの前記ロケーション情報、および前記ＡＥによってサポートされる前記ローカルエリアネットワークタイプに対応する前記ローカルエリアネットワークによってカバーされる前記エリアに関する前記情報に基づいて、前記ＡＥに隣接した前記Ｍ２ＭゲートウェイのＣＳＥ識別子を前記ＡＥへ返信するステップと、
前記ＡＥによってサポートされる前記ローカルエリアネットワークタイプと同じであるタイプを有するローカルエリアネットワークに属するＭ２ＭゲートウェイのＣＳＥ識別子をクエリーするための前記ＡＥによって送信された要求を前記Ｍ２Ｍプラットフォームによって受信するステップであって、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送する、ステップと、
前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの前記ＣＳＥ識別子を前記Ｍ２Ｍプラットフォームによって返信するステップと、
前記Ｍ２Ｍプラットフォームによって、前記Ｍ２Ｍゲートウェイが属する前記ローカルエリアネットワークの前記タイプを、前記Ｍ２Ｍゲートウェイの前記ＣＳＥ識別子を含む前記アクセスポイント情報内に記録するステップと
をさらに含む請求項１および請求項２のいずれかに記載のアクセスポイント切り替え方法。
【請求項５】
前記Ｍ２Ｍプラットフォームによってアクセスポイント切り替え応答メッセージを前記ＡＥへ送信する前記ステップの後に、前記方法は、
前記ＡＥによって送信されたアクセスポイント更新要求メッセージを前記Ｍ２Ｍプラットフォームによって受信するステップであって、前記アクセスポイント更新要求メッセージは、前記ＡＥの前記識別子を搬送するステップをさらに含み、
前記アクセスポイント更新要求メッセージは、前記ＡＥのものであるＩＰアドレスおよびポート番号情報を搬送し、前記Ｍ２Ｍプラットフォームによって、前記アクセスポイント更新要求メッセージに基づいて、前記ＡＥの前記アクセスポイント情報を、前記ＩＰアドレスおよび前記ポート番号情報を含むアクセスポイント情報と置き換え、または
前記アクセスポイント更新要求メッセージは、前記アクセスポイント情報リスト内に記録されているＣＳＥ識別子、および特定のロケーションにおいて記録されている前記ＣＳＥ識別子を削除するように指示する情報を搬送し、前記Ｍ２Ｍプラットフォームによって、前記アクセスポイント更新要求メッセージ内の前記ＣＳＥ識別子に基づいて、前記アクセスポイント情報リスト内にあって、かつ前記アクセスポイント更新要求メッセージ内の前記ＣＳＥ識別子を含むアクセスポイント情報を削除する請求項２乃至４のいずれか一項に記載のアクセスポイント切り替え方法。
【請求項６】
前記ＡＥによって送信されたアクセスポイント更新要求メッセージを前記Ｍ２Ｍプラットフォームによって受信する前記ステップの後に、
前記Ｍ２Ｍプラットフォームによって、前記削除されたまたは置き換えられたアクセスポイント情報内にある前記Ｍ２Ｍゲートウェイの前記ＣＳＥ識別子に対応するＭ２Ｍゲートウェイへリソース削除要求メッセージを送信するステップであって、前記リソース削除要求メッセージは、前記ＡＥの前記接続リソースの識別子を搬送する、ステップと、
前記削除されたまたは置き換えられたアクセスポイント情報内にある前記Ｍ２Ｍゲートウェイの前記ＣＳＥ識別子に対応する前記Ｍ２Ｍゲートウェイによって送信された成功応答メッセージを前記Ｍ２Ｍプラットフォームによって受信するステップであって、前記成功応答メッセージは、前記ＡＥの前記接続リソースが削除されていることを表すために使用される、ステップと、
前記Ｍ２Ｍプラットフォームによって前記成功応答メッセージを前記ＡＥへ送信するステップと
をさらに含む請求項５に記載のアクセスポイント切り替え方法。
【請求項７】
別のデバイスによって前記ＡＥへ送信された通知メッセージを前記Ｍ２Ｍプラットフォームによって受信するステップであって、前記通知メッセージは、前記ＡＥの前記識別子を搬送する、ステップと、
前記ＡＥの登録リソース内に含まれている前記ＡＥの前記アクセスポイント情報が前記Ｍ２Ｍゲートウェイの前記ＣＳＥ識別子であることを前記Ｍ２Ｍプラットフォームによって前記ＡＥの前記識別子に基づいて決定するステップと、
前記Ｍ２Ｍプラットフォームによって前記通知メッセージを前記Ｍ２Ｍゲートウェイへ転送するステップと
をさらに含む請求項１乃至４のいずれか一項に記載のアクセスポイント切り替え方法。
【請求項８】
アクセスポイント切り替え方法であって、前記方法は、マシンツーマシン通信Ｍ２Ｍシステムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント変更を実行する前の前記ＡＥのためのアクセスポイントであり、前記Ｍ２Ｍゲートウェイは、前記ＡＥがアクセスポイント変更を実行した後の前記ＡＥのためのアクセスポイントであり、前記Ｍ２Ｍプラットフォームは、前記Ｍ２Ｍゲートウェイのためのアクセスポイントであり、前記方法は、
前記ＡＥによってアクセスポイント切り替え要求メッセージを前記Ｍ２Ｍプラットフォームへ送信するステップであって、前記アクセスポイント切り替え要求メッセージは、前記Ｍ２ＭゲートウェイのＣＳＥ識別子を搬送する、ステップと、
前記Ｍ２Ｍプラットフォームによって送信されたアクセスポイント切り替え応答メッセージを前記ＡＥによって受信するステップであって、前記アクセスポイント切り替え応答メッセージは、前記Ｍ２Ｍゲートウェイによって前記ＡＥに割り当てられたアクセス情報を搬送する、ステップと、
前記Ｍ２Ｍゲートウェイによって前記ＡＥに割り当てられた前記アクセス情報に基づいて前記ＡＥによってリソースアクセス要求を前記Ｍ２Ｍゲートウェイへ送信するステップと
を含む方法。
【請求項９】
前記ＡＥによってアクセスポイント切り替え要求メッセージを前記Ｍ２Ｍプラットフォームへ送信する前記ステップの前に、
前記ＡＥによって、前記Ｍ２Ｍゲートウェイが属するローカルエリアネットワークにアクセスし、前記ローカルエリアネットワークのローカルエリアネットワーク識別子を決定するステップと、
前記ローカルエリアネットワーク識別子に対応する前記Ｍ２Ｍゲートウェイのものである前記共通サービスエンティティーＣＳＥ識別子をクエリーするための要求メッセージを前記ＡＥによって前記Ｍ２Ｍプラットフォームへ送信するステップであって、前記ローカルエリアネットワーク識別子に対応する前記Ｍ２Ｍゲートウェイのものである前記ＣＳＥ識別子をクエリーするための前記要求メッセージは、前記ローカルエリアネットワーク識別子を搬送する、ステップと、
前記Ｍ２Ｍプラットフォームによって送信され、かつ前記Ｍ２Ｍゲートウェイの前記ＣＳＥ識別子を搬送する成功メッセージを前記ＡＥによって受信するステップと
をさらに含む請求項８に記載のアクセスポイント切り替え方法。
【請求項１０】
前記ＡＥによってアクセスポイント切り替え要求メッセージを前記Ｍ２Ｍプラットフォームへ送信する前記ステップの前に、
前記ＡＥに隣接したＭ２Ｍゲートウェイに関する入手要求を前記ＡＥによって前記Ｍ２Ｍプラットフォームへ送信するステップであって、前記ＡＥに隣接した前記Ｍ２Ｍゲートウェイに関する前記入手要求は、前記ＡＥのロケーション情報、および前記ＡＥによってサポートされるローカルエリアネットワークタイプに対応するローカルエリアネットワークによってカバーされるエリアに関する情報を搬送する、ステップと、
前記Ｍ２Ｍプラットフォームによって返信される前記ＡＥに隣接した前記Ｍ２Ｍゲートウェイの共通サービスエンティティーＣＳＥ識別子を前記ＡＥによって受信するステップと、
前記ＡＥによってサポートされる前記ローカルエリアネットワークタイプと同じであるタイプを有するローカルエリアネットワークに属するＭ２ＭゲートウェイのＣＳＥ識別子をクエリーするための要求を前記ＡＥによって前記Ｍ２Ｍプラットフォームへ送信するステップであって、前記ＡＥによってサポートされる前記ローカルエリアネットワークタイプと同じであるタイプを有する前記ローカルエリアネットワークに属する前記Ｍ２Ｍゲートウェイの前記ＣＳＥ識別子をクエリーするための前記要求は、前記ＡＥに隣接した前記Ｍ２Ｍゲートウェイの前記ＣＳＥ識別子、および前記ＡＥによってサポートされる前記ローカルエリアネットワークタイプを搬送する、ステップと、
前記ＡＥに隣接していて、かつ前記ＡＥによってサポートされる前記ローカルエリアネットワークタイプと同じであるタイプを有する前記ローカルエリアネットワークに属する前記Ｍ２Ｍゲートウェイの、前記Ｍ２Ｍプラットフォームによって返信された前記ＣＳＥ識別子を前記ＡＥによって受信するステップと
をさらに含む請求項８に記載のアクセスポイント切り替え方法。
【請求項１１】
アクセスポイント切り替え方法であって、前記方法は、マシンツーマシン通信Ｍ２Ｍシステムに適用され、前記Ｍ２Ｍシステムは、Ｍ２Ｍプラットフォーム、アプリケーションエンティティーＡＥ、およびＭ２Ｍゲートウェイを含み、前記Ｍ２Ｍプラットフォームは、前記ＡＥがアクセスポイント切り替えを実行する前の前記ＡＥのためのアクセスポイントであり、前記Ｍ２Ｍゲートウェイは、前記ＡＥがアクセスポイント切り替えを実行した後の前記ＡＥのためのアクセスポイントであり、前記Ｍ２Ｍプラットフォームは、前記Ｍ２Ｍゲートウェイのためのアクセスポイントであり、前記方法は、
前記Ｍ２Ｍプラットフォームによって送信されたリソース作成要求メッセージを前記Ｍ２Ｍゲートウェイによって受信するステップであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、ステップと、
前記Ｍ２Ｍゲートウェイによって前記リソース作成要求メッセージに基づいて前記ＡＥの前記接続リソースを作成するステップであって、前記ＡＥの前記接続リソースは、前記ＡＥのアクセス情報を含む、ステップと、
リソース作成が成功していることを示す応答メッセージを前記Ｍ２Ｍゲートウェイによって前記Ｍ２Ｍプラットフォームへ送信するステップであって、リソース作成が成功していることを示す前記応答メッセージは、前記Ｍ２Ｍゲートウェイによって前記ＡＥに割り当てられた前記アクセス情報を搬送する、ステップと、
前記Ｍ２Ｍゲートウェイによって前記ＡＥに割り当てられた前記アクセス情報に基づいて前記ＡＥによって送信されたリソースアクセス要求メッセージを前記Ｍ２Ｍゲートウェイによって受信するステップと、
前記Ｍ２Ｍゲートウェイによって前記リソースアクセス要求メッセージを処理するステップと
を含む方法。
【請求項１２】
前記ＡＥの前記アクセス情報は、前記Ｍ２Ｍゲートウェイが属するネットワークのローカルエリアネットワーク識別子をさらに含み、前記Ｍ２Ｍゲートウェイによって前記リソース作成要求メッセージに基づいて前記ＡＥの前記接続リソースを作成する前記ステップの後に、前記方法は、
前記Ｍ２Ｍゲートウェイによって、前記Ｍ２Ｍゲートウェイが属する前記ネットワークの前記ローカルエリアネットワーク識別子に基づいて前記ローカルエリアネットワーク内の前記ＡＥの接続アドレスを割り当てるステップをさらに含む請求項１１に記載のアクセスポイント切り替え方法。
【請求項１３】
前記ＡＥの前記アクセス情報は、前記Ｍ２Ｍゲートウェイが属するローカルエリアネットワークのネットワークタイプを含み、
前記Ｍ２Ｍゲートウェイによって前記リソース作成要求メッセージに基づいて前記ＡＥの前記接続リソースを作成する前記ステップの後に、前記方法は、
前記Ｍ２Ｍゲートウェイによって、前記ＡＥのロケーション情報を入手し、前記Ｍ２Ｍゲートウェイが属する前記ローカルエリアネットワークの前記ネットワークタイプ、および前記ＡＥの前記ロケーション情報に基づいて前記ローカルエリアネットワーク内の前記ＡＥの接続アドレスを割り当てるステップをさらに含む請求項１１に記載のアクセスポイント切り替え方法。
【請求項１４】
マシンツーマシン通信Ｍ２Ｍプラットフォームであって、前記Ｍ２Ｍプラットフォームは、ＡＥがアクセスポイント切り替えを実行する前の前記ＡＥのためのアクセスポイントであり、前記Ｍ２Ｍプラットフォームは、前記Ｍ２Ｍゲートウェイのためのアクセスポイントとして使用され、前記Ｍ２Ｍゲートウェイは、前記ＡＥがアクセスポイント切り替えを実行した後の前記ＡＥのためのアクセスポイントであり、前記Ｍ２Ｍプラットフォームは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記ＡＥによって送信されたアクセスポイント切り替え要求メッセージを前記Ｍ２Ｍプラットフォームによって受信するオペレーションであって、前記アクセスポイント切り替え要求メッセージは、前記Ｍ２Ｍゲートウェイの共通サービスエンティティーＣＳＥ識別子を搬送する、オペレーションと、
前記Ｍ２Ｍプラットフォームによってリソース作成要求メッセージを前記Ｍ２Ｍゲートウェイへ送信するオペレーションであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、オペレーションと、
前記Ｍ２Ｍゲートウェイによって送信される、リソース作成が成功していることを示す応答メッセージを前記Ｍ２Ｍプラットフォームによって受信するオペレーションであって、リソース作成が成功していることを示す前記応答メッセージは、前記Ｍ２Ｍゲートウェイによって前記ＡＥに割り当てられたアクセス情報を搬送する、オペレーションと、
前記Ｍ２Ｍプラットフォームによってアクセスポイント切り替え応答メッセージを前記ＡＥへ送信するオペレーションであって、前記アクセスポイント切り替え応答メッセージは、前記Ｍ２Ｍゲートウェイによって前記ＡＥに割り当てられた前記アクセス情報を搬送する、オペレーションと
を前記Ｍ２Ｍプラットフォームが実行することを可能にする、マシンツーマシン通信Ｍ２Ｍプラットフォーム。
【請求項１５】
マシンツーマシン通信Ｍ２Ｍデバイスであって、前記Ｍ２Ｍデバイスは、アプリケーションエンティティーＡＥを含み、前記ＡＥがアクセスポイント変更を実行する前の前記ＡＥのためのアクセスポイントは、Ｍ２Ｍプラットフォームであり、前記ＡＥがアクセスポイント変更を実行した後の前記ＡＥのためのアクセスポイントは、Ｍ２Ｍゲートウェイであり、前記Ｍ２Ｍプラットフォームは、前記Ｍ２Ｍゲートウェイのためのアクセスポイントとしてさらに使用され、前記Ｍ２Ｍデバイスは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記ＡＥによってアクセスポイント切り替え要求メッセージを前記Ｍ２Ｍプラットフォームへ送信するオペレーションであって、前記アクセスポイント切り替え要求メッセージは、前記Ｍ２ＭゲートウェイのＣＳＥ識別子を搬送する、オペレーションと、
前記Ｍ２Ｍプラットフォームによって送信されたアクセスポイント切り替え応答メッセージを前記ＡＥによって受信するオペレーションであって、前記アクセスポイント切り替え応答メッセージは、前記Ｍ２Ｍゲートウェイによって前記ＡＥに割り当てられたアクセス情報を搬送する、オペレーションと、
前記Ｍ２Ｍゲートウェイによって前記ＡＥに割り当てられた前記アクセス情報に基づいて前記ＡＥによってリソースアクセス要求を前記Ｍ２Ｍゲートウェイへ送信するオペレーションと
を前記Ｍ２Ｍデバイスが実行することを可能にする、マシンツーマシン通信Ｍ２Ｍデバイス。
【請求項１６】
マシンツーマシン通信Ｍ２Ｍゲートウェイであって、前記Ｍ２Ｍゲートウェイは、アプリケーションエンティティーＡＥがアクセスポイント切り替えを実行した後の前記ＡＥのためのアクセスポイントであり、前記Ｍ２Ｍゲートウェイのためのアクセスポイントは、Ｍ２Ｍプラットフォームであり、前記Ｍ２Ｍプラットフォームは、前記ＡＥがアクセスポイント切り替えを実行する前の前記ＡＥのためのアクセスポイントであり、前記Ｍ２Ｍゲートウェイは、
コンピュータ実行可能プログラムコードを格納するように構成されているメモリと、
トランシーバと、
前記メモリおよび前記トランシーバに結合されているプロセッサと
を含み、
前記プログラムコードは、命令を含み、前記プロセッサが前記命令を実行したときに、前記命令は、
前記Ｍ２Ｍプラットフォームによって送信されたリソース作成要求メッセージを前記Ｍ２Ｍゲートウェイによって受信するオペレーションであって、前記リソース作成要求メッセージは、前記ＡＥの接続リソースを作成するように前記Ｍ２Ｍゲートウェイに要求するために使用され、前記リソース作成要求メッセージは、前記ＡＥの識別子を搬送する、オペレーションと、
前記Ｍ２Ｍゲートウェイによって前記リソース作成要求メッセージに基づいて前記ＡＥの前記接続リソースを作成するオペレーションであって、前記ＡＥの前記接続リソースは、前記ＡＥのアクセス情報を含む、オペレーションと、
リソース作成が成功していることを示す応答メッセージを前記Ｍ２Ｍゲートウェイによって前記Ｍ２Ｍプラットフォームへ送信するオペレーションであって、リソース作成が成功していることを示す前記応答メッセージは、前記Ｍ２Ｍゲートウェイによって前記ＡＥに割り当てられた前記アクセス情報を搬送する、オペレーションと、
前記Ｍ２Ｍゲートウェイによって前記ＡＥに割り当てられた前記アクセス情報に基づいて前記ＡＥによって送信されたリソースアクセス要求メッセージを前記Ｍ２Ｍゲートウェイによって受信するオペレーションと、
前記Ｍ２Ｍゲートウェイによって前記リソースアクセス要求メッセージを処理するオペレーションと
を装置が実行することを可能にする、マシンツーマシン通信Ｍ２Ｍゲートウェイ。
【国際調査報告】
2019521591.tif 000016
2019521591.tif 000017
2019521591.tif 000018
2019521591.tif 000019